(57)【特許請求の範囲】
【請求項１】
傘（１）を構成するにおいて、
手元（３）が下端に結合された外管（４）と、外管（４）の内側に結合され、中上端にストッパ突起（５ｃ）が形成された内管（５）とで構成した中棒（２）と；
前記外管（４）と内管（５）の上端に設置した受骨固定部材（６）及び親骨固定部材（７）と；
前記受骨固定部材（６）と親骨固定部材（７）に回動可能に組み立てられる複数の受骨（８ａ）と親骨（８ｂ）とで構成した骨アセンブリー（８）と；
手元（３）の上側に上下方向に長く外管（４）に対向して形成した作動孔（４ａ）と；
外管（４）の外部に沿って昇降し、作動孔（４ａ）を通じて内管（５）とピン（９）で組み立てられる作動手元（１０）と；
スプリング（１１）によって弾性支持されるように手元（３）に設置され、外管（４）の下端に形成した作動孔（４ｂ）に挿入される係止突起（１２ａ）が形成された操作ボタン（１２）と；
作動手元（１０）の下方へ内管（５）が昇降移動される上死点と下死点に符合する位置に形成され、前記操作ボタン（１２）に形成された係止突起（１２ａ）が選択的に結合される係止孔（５ａ、５ｂ）とを含み、
前記親骨（８ｂ）が前記親骨固定部材（７）に結合される地点の直径が前記受骨（８ａ）が前記受骨固定部材（６）に結合される地点の直径より大きく、前記親骨（８ｂ）は前記親骨固定部材（７）に結合される地点から一直線に延長されることを特徴とする傘。
【請求項２】
傘（１）を構成するにおいて、
手元（３）が下端に結合された外管（４）と、外管（４）の内側に結合される内管（５）とで構成した中棒（２）と；
前記外管（４）と内管（５）の上端に設置した受骨固定部材（６）及び親骨固定部材（７）と；
前記受骨固定部材（６）と親骨固定部材（７）に回動可能に組み立てられる複数の受骨（８ａ）と親骨（８ｂ）で構成した骨アセンブリー（８）と；
前記内管（５）の下端に内管（５）と一体に形成した拡管部（１５）と；
上端に形成された係止突起（１７）が拡管部（１５）の上端に係止されるように結合され、手元（３）の下側に出沒され、下端に支持突起（１６ｄ）が形成されたスプリング押圧管（１６）と；
受骨固定部材（６）の下側に位置するように内管（５）の中上端に形成したストッパ突起（５ｃ）と、スプリング押圧管（１６）の係止突起（１７）との間に設置したコイルスプリング（１８）と；
スプリング（１１）によって弾性支持されるように手元（３）に設置した操作ボタン（１２）及び操作ボタン（１２）に一体に形成された押圧片（１２ｂ）によって押圧作動する補助ボタン（１９）と；
前記操作ボタン（１２）と補助ボタン（１９）にスプリング（１１）の方にそれぞれ形成した係止突起（１２ａ、１９ａ）、操作ボタン（１２）の係止突起（１２ａ）の反対側と押圧片（１２ｂ）の下端にそれぞれ形成した昇降防止用突起（１２ｃ）及び支持突起（１２ｄ）と；
操作ボタン（１２）の係止突起（１２ａ）に下向きに傾斜して形成した案内面（１２ａ′）及び補助ボタン（１９）の係止突起（１９ａ）に上向きに傾斜して形成した案内面（１９ａ′）と；
前記操作ボタン（１２）と補助ボタン（１９）に形成された係止突起（１２ａ、１９ａ）が選択的に結合されるように前記拡管部（１５）の上側に短く形成した係止孔（１５ａ）及びその下側に長く形成した作動孔（１５ｂ）、またこれらと重なるようにスプリング押圧管（１６）の上側に長く形成した作動孔（１６ｂ）及びその下側に短く形成した係止孔（１６ａ）と；
前記係止突起（１２ａ、１９ａ）と昇降防止突起（１２ｃ）及び支持突起（１２ｄ）が出入りする外管（４）の手元（３）内部に形成された作動孔（４ｂ）と；
前記操作ボタン（１２）と押圧片（１２ｂ）に形成した昇降防止用突起（１２ｃ）及び支持突起（１２ｄ）に選択的に結合されるように前記拡管部（１５）の上側に係止孔（１５ａ）と作動孔（１５ｂ）に重なるように位置し、操作ボタン（１２）を押圧する時、支持突起（１２ｄ）が挿入されないように小さく形成したストッパ孔（１５ｃ）と、スプリング押圧管（１６）に形成された係止孔（１６ａ）と作動孔（１６ｂ）に重なるように拡管部（１５）の下側とスプリング押圧管（１６）に同じ大きさに形成し、操作ボタン（１２）を押圧する時支持突起（１２ｄ）が挿入されるように長く形成したストッパ孔（１５ｃ、１６ｃ）と；を含むことを特徴とする傘。
【請求項３】
前記手元（３）の内側に下向きに開口されるように形成した空間（３ａ）と；
手元（３）とスプリング押圧管（１６）の下端に形成された支持突起（１６ｄ）との間に位置するように、前記空間（３ａ）に挿入した第２補助コイルスプリング（２０）と；を含むことを特徴とする請求項２に記載の傘。
【請求項４】
前記手元（３）の内側に形成した空間（３ａ）と；
前記空間（３ａ）に挿入した第２補助スプリング（２０）と；
手元（３）の内部の空間（３ａ）の下側に設置孔（３ｂ）を形成し、設置孔（３ｂ）には前記第２補助コイルスプリング（２０）を支持するスプリング支持具（２１）が外管（４）の外部に嵌められた状態に配置され、スプリング支持具（２１）には側面が開口された挿入孔（２１ａ）を形成し、前記挿入孔（２１ａ）には対向して突起（２２ａ、２２ｂ）が形成されるストッパ（２２）を外管（４）の外部に嵌められた状態になるように結合し；
前記挿入孔（２１ａ）の上側には設置孔（３ｂ）の一側上端に形成された傾斜案内面（３ｃ）が挿入される孔（２１ｂ）を形成し、前記ストッパ（２２）に形成された突起（２２ａ、２２ｂ）の中の一方は上下側に傾斜面（２２ａ′）を形成して外管（４）に形成された係止孔（４ｄ）とスプリング押圧管（１６）に形成された第２作動孔（１６ｅ）に挿入され；
他方は下向きに傾斜された傾斜面（２２ｂ′）を形成して外管（４）に形成された作動孔（４ｃ）とスプリング押圧管（１６）に形成された第２係止孔（１６ｆ）に挿入されるようにしたことを特徴とする請求項２に記載の傘。
【請求項５】
前記親骨（８ｂ）が前記親骨固定部材（７）に結合される地点の直径が前記受骨（８ａ）が前記受骨固定部材（６）に結合される地点の直径より大きく、前記親骨（８ｂ）は前記親骨固定部材（７）に結合される地点から一直線に延長されることを特徴とする請求項２に記載の傘。
【請求項６】
前記受骨固定部材（６）と親骨固定部材（７）との間に設置した補助コイルスプリング（１３）と；
傘（１）を折り畳んだ状態で、補助コイルスプリング（１３）が内装されるように親骨固定部材（７）に一体に形成したスプリングハウジング（１４）と；を含むことを特徴とする請求項１乃至４の中の何れか一項に記載の傘。
【請求項７】
傘（１０１）を構成するにおいて、
手元（１０３）が下端に結合された外管（１０４）と、外管（１０４）の内側に結合される内管（１０５）とで構成した中棒（１０２）と；
前記外管（１０４）の上端に結合した親骨固定部材（１０７）と；
前記親骨固定部材（１０７）の下側に外管（１０４）に上下方向に長く形成した作動孔（１０４ａ）を通じて内管（１０５）の上端に結合したピン（１０９）及びピン（１０９）に結合されて外管（１０４）に沿って昇降する受骨固定部材（１０６）と；
前記受骨固定部材（１０６）と親骨固定部材（１０７）に回動可能に組み立てられる複数の受骨（１０８ａ）と親骨（１０８ｂ）で構成した骨アセンブリー（１０８）と；
スプリング（１１１）によって弾性支持されるように手元（１０３）に設置され、外管（１０４）の下端に形成した作動孔（１０４ｂ）に挿入される係止突起（１１２ａ）が形成された操作ボタン（１１２）と；
前記内管（１０５）の下端に拡管された状態に形成されて手元（１０３）に結合され、傘（１０１）を広げる時引き出しされ、折り畳む時入るように下端に係止突起（１２３ｃ）を形成した出沒部（１２３）と；
前記内管（１０５）が昇降移動される上死点と下死点に符合するように出沒部（１２３）に形成され、前記操作ボタン（１１２）に形成された係止突起（１１２ａ）が選択的に結合される係止孔（１２３ａ、１２３ｂ）と；
を含み、
前記親骨（１０８ｂ）が前記親骨固定部材（１０７）に結合される地点の直径が前記受骨（１０８ａ）が前記受骨固定部材（１０６）に結合される地点の直径より大きく、前記親骨（１０８ｂ）は前記親骨固定部材（１０７）に結合される地点から一直線に延長されることを特徴とする傘。
【請求項８】
傘（１０１）を構成するにおいて、
手元（１０３）が下端に結合され、上端に親骨固定部材（１０７）が結合された外管（１０４）と、親骨固定部材（１０７）に形成された貫通孔（１０７ｂ）に組み立てられて外管（１０４）の内側に結合され、手元（１０３）の内側に位置するように下端に係止突起（１０５ａ）を形成した支持管（１０５ｂ）を有する内管（１０５）とで構成した中棒（１０２）と；
前記内管（１０５）の上端外部に被せて一体に結合され、下部に段差（１２４ａ）が形成されたスプリング支持管（１２４）と；
前記親骨固定部材（１０７）の下側の外管（１０４）に上下方向に長く形成した作動孔（１０４ａ）及び内管（１０５）及び内管（１０５）に結合されるスプリング支持管（１２４）に作動孔（１０４ａ）と連通されるように上下方向に長く形成した作動孔（１２５）と；
前記内管（１０５）とスプリング支持管（１２４）との間に上端が挟まれる作動管（１２６）と；
前記作動孔（１０４ａ、１２５）を通じて作動管（１２６）の上端に嵌められるピン（１０９）及びピン（１０９）に結合されて外管（１０４）に沿って昇降する受骨固定部材（１０６）と；
前記受骨固定部材（１０６）と親骨固定部材（１０７）に回動可能に組み立てられる複数の受骨（１０８ａ）と親骨（１０８ｂ）で構成した骨アセンブリー（１０８）と；
段差（１２７ａ）と手元（１０３）の外部に位置する係止突起（１２７ｂ）が上下方向に形成されるように作動管（１２６）の下端に一体に形成した出沒部（１２７）と；
前記内管（１０５）に一体に形成したスプリング支持管（１２４）の段差（１２４ａ）と、作動管（１２６）と出沒部（１２７）の境界に形成した段差（１２７ａ）との間に設置したコイルスプリング（１１８）と；
スプリング（１１１）によって弾性支持されるように手元（１０３）に設置した操作ボタン（１１２）及び操作ボタン（１１２）に一体に形成される押圧片（１１２ｂ）によって押圧作動する補助ボタン（１１９）と；
前記操作ボタン（１１２）と補助ボタン（１１９）にスプリング（１１１）の方にそれぞれ形成した係止突起（１１２ａ、１１９ａ）、操作ボタン（１１２）の係止突起（１１２ａ）の反対側と押圧片（１１２ｂ）の上端にそれぞれ形成した昇降防止用突起（１１２ｃ）及び支持突起（１１２ｄ）と；
操作ボタン（１１２）の係止突起（１１２ａ）に上向きに傾斜して形成した案内面（１１２ａ′）及び補助ボタン（１１９）の係止突起（１１９ａ）に下向きに傾斜して形成した案内面（１１９ａ′）と；
前記操作ボタン（１１２）と補助ボタン（１１９）に形成された係止突起（１１２ａ、１１９ａ）が選択的に結合されるように前記内管（１０５）には上側で短く形成した係止孔（１０５ｃ）及びその下側に長く形成した作動孔（１０５ｄ）、またこれらと重なるように出沒部（１２７）の上側に長く形成した作動孔（１２７ｆ）及びその下側に短く形成した係止孔（１２７ｅ）と；
前記係止突起（１１２ａ、１１９ａ）と昇降防止突起（１１２ｃ）及び支持突起（１１２ｄ）が出入りする外管（１０４）の手元（１０３）の内部に形成された作動孔（１０４ｂ）と；
前記操作ボタン（１１２）と押圧片（１１２ｂ）に形成した昇降防止用突起（１１２ｃ）及び支持突起（１１２ｄ）が選択的に結合されるように出沒部（１２７）の係止孔（１２７ｅ）と作動孔（１２７ｆ）に重なるように位置され、操作ボタン（１１２）を押圧する時、支持突起（１１２ｄ）が挿入されないように小さく形成した出沒部（１２７）の下側のストッパ孔（１２７ｃ）及び内管（１０５）に形成された係止孔（１０５ｃ）と作動孔（１０５ｄ）に重なるように位置され、操作ボタン（１１２）を押圧する時、支持突起（１１２ｄ）が挿入されるように長く形成した出沒部（１２７）の上側のストッパ孔（１２７ｄ）とを含むことを特徴とする傘。
【請求項９】
前記手元（１０３）の内側に下向きに開口されるように形成されている空間（１０３ａ）の下部を密閉するカバー（１２８）と；
前記空間（１０３ａ）に内装され、カバー（１２８）と内管（１０５）の下端に形成された支持管（１０５ｂ）との間に位置するように設置した第２補助コイルスプリング（１２０）と；を含むことを特徴とする請求項８に記載の傘。
【請求項１０】
前記手元（１０３）の内側に形成した空間（１０３ａ）と；
前記空間（１０３ａ）に挿入された第２補助コイルスプリング（１２０）と；
手元（１０３）の内部空間（１０３ａ）の上側に設置孔（１０３ｂ）を形成し、設置孔（１０３ｂ）には前記第２補助コイルスプリング（１２０）を支持するスプリング支持具（１２１）が外管（１０４）の外部に嵌められた状態に配置され、スプリング支持具（１２１）には側面が開口された挿入孔（１２１ａ）を形成し、挿入孔（１２１ａ）には対向して突起（１２２ａ、１２２ｂ）が形成されるストッパ（１２２）を外管（１０４）の外部に嵌められた状態になるように結合し；
前記挿入孔（１２１ａ）の下側には設置孔（１０３ｂ）の一側下端に形成された傾斜案内面（１０３ｃ）が挿入される孔（１２１ｂ）を形成し；
前記ストッパ（１２２）に形成された突起（１２２ａ、１２２ｂ）の中の一方は上下側に傾斜面（１２２ａ′）を形成して外管（１０４）に形成された係止孔（１０４ｄ）と内管（１０５）の支持管（１０５ｂ）に形成された第２作動孔（１０５ｅ）に挿入され；
他方は上向きに傾斜された傾斜面（１２２ｂ′）を形成して外管（１０４）に形成された作動孔（１０４ｃ）と、内管（１０５）の支持管（１０５ｂ）に形成した第２係止孔（１０５ｆ）に挿入されることを特徴とする請求項８に記載の傘。
【請求項１１】
前記受骨固定部材（１０６）と親骨固定部材（１０７）との間に設置した補助コイルスプリング（１１３）と；
傘（１０１）を折り畳んだ状態で補助コイルスプリング（１１３）が内装されるように親骨固定部材（１０７）に一体に形成したスプリングハウジング（１１４）と；を含むことを特徴とする請求項７乃至１０の中の何れか一項に記載の傘。
【請求項１２】
前記親骨（１０８ｂ）が前記親骨固定部材（１０７）に結合される地点の直径が前記受骨（１０８ａ）が前記受骨固定部材（１０６）に結合される地点の直径より大きく、前記親骨（１０８ｂ）は前記親骨固定部材（１０７）に結合される地点から一直線に延長されることを特徴とする請求項８に記載の傘。
【発明の詳細な説明】
【技術分野】
【０００１】
本発明は傘に関し、詳しくは、構成が簡単でありながらも広げたり折り畳むことが簡便な傘を提供する。
【背景技術】
【０００２】
雨が降る時体を保護する目的に傘を使用しており、一般的に広く使用されている傘は使用者の便利性を図ることができるように、中棒の下端に結合されている手元に設けられたボタンを押すだけで傘の骨が広げられることのできる構成に発展して来た。
【０００３】
前記傘は使用した後傘を折り畳む時、中棒の上端に位置した受骨固定部材を手で握って中棒の下に引かなければならない。
このような作動は傘の使用に不便を与え、特に作動過程で傘の骨の外側に結合されている傘布に付いて雨によって使用者の体やの衣類がが濡れるなどの不便があった
【発明の概要】
【発明が解決しようとする課題】
【０００４】
そこで、本発明者は上述した従来の傘が有する諸問題点を解決するために本発明を案出したものであり、本発明では構成が簡単でありながらも、広げたり折り畳むことが簡便な傘の提供を技術課題として本発明を完成した。
【課題を解決するための手段】
【０００５】
本発明では下記のような多数の課題解決手段を提供する。
【０００６】
本発明は、第一、手元が下端に結合された外管と、外管の内側に結合され、中上端にストッパ突起が形成された内管とで構成した中棒と；前記外管と内管の上端に設置した受骨固定部材及び親骨固定部材と；前記受骨固定部材と親骨固定部材に回動可能に組み立てられる複数の受骨と親骨とで構成した骨アセンブリーと；手元の上側に上下方向に長く外管に対向して形成した作動孔と；外管の外部に沿って昇降し、作動孔を通じて内管とピンで組み立てられる作動手元と；スプリングによって弾性支持されるように手元に設置されて、外管の下端に形成した作動孔に挿入される係止突起が形成された操作ボタンと；作動手元の下方へ内管が昇降移動される上死点と下死点に符合する位置に形成され、前記操作ボタンに形成された係止突起が選択的に結合される係止孔と；を含むことを特徴とする。
【０００７】
第二、手元が下端に結合された外管と、外管の内側に結合される内管とで構成した中棒と；前記外管と内管の上端に設置した受骨固定部材及び親骨固定部材と；前記受骨固定部材と親骨固定部材に回動可能に組み立てられる複数の受骨と親骨とで構成した骨アセンブリーと；前記内管の下端に内管と一体に形成した拡管部と；上端に形成された係止突起が拡管部の上端に係止されるように結合され、手元の下側に出沒されるスプリング押圧管と；スプリング押圧管の下端に形成された支持突起と；受骨固定部材の下側に位置するように内管の中上端に形成したストッパ突起とスプリング押圧管の係止突起との間に設置したコイルスプリングと；スプリングによって弾性支持されるように手元に設置した操作ボタン及び操作ボタンに一体に形成される押圧片によって押圧作動する補助ボタンと；前記操作ボタンと補助ボタンにスプリングの方にそれぞれ形成した係止突起及び操作ボタンの係止突起の反対側と押圧片の下端にそれぞれ形成した昇降防止用突起及び支持突起と；操作ボタンの係止突起に下向きに傾斜して形成した案内面及び補助ボタンの係止突起に上向きに傾斜して形成した案内面と；前記操作ボタンと補助ボタンに形成された係止突起が選択的に結合されるように前記拡管部の上側に短く形成した係止孔及びその下側に長く形成した作動孔、そしてこれらと重なるようにスプリング押圧管の上側に長く形成した作動孔及びその下側に短く形成した係止孔と；前記係止突起と昇降防止突起及び支持突起が出入りする外管の手元の内部に形成された作動孔と；前記操作ボタンと押圧片に形成した昇降防止用突起及び支持突起に選択的に結合されるように前記拡管部の上側に係止孔と作動孔に重なるように形成したストッパ孔と、スプリング押圧管に形成された係止孔と作動孔に重なるように拡管部の下側とスプリング押圧管に同じ大きさに形成したストッパ孔を含むことを特徴とする。
【０００８】
第三、前記親骨固定部材に結合される親骨の結合部の直径は受骨固定部材に結合される受骨の結合部の直径より大きい寸法で構成したことを特徴とする。
【０００９】
第四、前記受骨固定部材と親骨固定部材との間に設置した補助コイルスプリングと；傘を折り畳んだ状態でコイルスプリングが内装されるように親骨固定部材に一体に形成されたスプリングハウジングを結合した構成と；前記手元の内側で下方へ開口されるように形成した空間と；手元とスプリング押圧管の下端に形成された支持突起の間に位置するように前記空間に挿入した第２補助コイルスプリングを結合した構成を単独または複合的に構成したことを特徴とする。
【００１０】
第五、前記手元の内側に形成した空間の下側に設置孔を形成し、設置孔にはスプリング支持具が外管の外部に嵌められた状態に配置され、スプリング支持具には側面が開口された挿入孔を形成し、挿入孔には対向して突起が形成されるストッパを外管の外部に嵌められた状態になるように結合し、前記ストッパに形成された突起の中の一方は上下側に傾斜面を形成して外管の係止孔とスプリング押圧管に形成された第２作動孔に挿入されるようにし、他方は下向きに傾斜された傾斜面を形成して第２作動孔の反対側に位置し、第２作動孔の上端と中心に位置されるように形成した第２係止孔に外管の作動孔を通じて挿入されることを特徴とする。
【００１１】
第六、前記受骨固定部材と親骨固定部材との間に設置した補助コイルスプリングと、傘を折り畳んだ状態で補助コイルスプリングが内装されるように親骨固定部材に一体に形成したスプリングハウジングとを含むことを特徴とする。
【００１２】
第七、傘を構成するにおいて、手元が下端に結合された外管と、外管の内側に結合される内管とで構成した中棒と；前記外管の上端に結合した親骨固定部材と；前記親骨固定部材の下側で外管に上下方向に長く形成した作動孔を通じて内管上端に結合したピン及びピンで結合されて外管に沿って昇降する受骨固定部材と；前記受骨固定部材と親骨固定部材に回動可能に組み立てられる複数の受骨と親骨とで構成した骨アセンブリーと；スプリングによって弾性支持されるように手元に設置され、外管の下端に形成した作動孔に挿入される係止突起が形成された操作ボタンと；前記内管の下端に拡管された状態に形成されて手元に結合され、傘を広げる時引き出しされ、折り畳む時入る出沒部と；出沒部の下端に形成された係止突起と；前記内管が昇降移動される上死点と下死点に符合するように出沒部に形成され、前記操作ボタンに形成された係止突起が選択的に結合される係止孔とを含むことを特徴とする。
【００１３】
第八、傘を構成するにおいて、手元が下端に結合され、上端に親骨固定部材が結合された外管と、親骨固定部材に形成された貫通孔に組み立てられて、外管の内側に結合されて手元の内側に位置するように下端に係止突起を形成した支持管を有する内管とで構成した中棒と；前記内管の上端外部に被せて一体に結合され、下部に段差が形成されたスプリング支持管と；前記親骨固定部材の下側の外管に上下方向に長く形成した作動孔、内管及び内管に結合されるスプリング支持管に作動孔と連通されるように上下で長く形成した作動孔と；前記内管とスプリング支持管の間に上端が挟まれる作動管と；前記作動孔を通じて作動管上端に挟まれるピン及びピンに結合されて外管に沿って昇降する受骨固定部材と；前記受骨固定部材と親骨固定部材に回動可能に組み立てられる複数の受骨と親骨とで構成した骨アセンブリーと；段差と手元外部に位置する係止突起が上下方向に形成されるように作動管の下端に一体に形成した出沒部と；前記内管に一体に形成したスプリング支持管の段差と、作動管と出沒部の境界に形成した段差との間に設置したコイルスプリングと；スプリングによって弾性支持されるように手元に設置した操作ボタン及び操作ボタンに一体に形成される押圧片によって押圧作動する補助ボタンと；前記操作ボタンと補助ボタンにスプリングの方にそれぞれ形成した係止突起、操作ボタンの係止突起の反対側と押圧片の上端にそれぞれ形成した昇降防止用突起及び支持突起と；操作ボタンの係止突起に上向きに傾斜して形成した案内面及び補助ボタンの係止突起に下向きに傾斜して形成した案内面と；前記操作ボタンと補助ボタンに形成された係止突起が選択的に結合されるように前記内管には上側に短く形成した係止孔及びその下側に長く形成した作動孔、またこれらと重なるように出沒部の上側に長く形成した作動孔及びその下側に短く形成した係止孔と；前記係止突起と昇降防止突起及び支持突起が出入りする外管の手元内部に形成された作動孔と；前記操作ボタンと押圧片に形成した昇降防止用突起及び支持突起が選択的に結合されるように出沒部の係止孔と作動孔に重なるように位置され、操作ボタンを押圧する時支持突起が挿入されないように小さく形成した出沒部の下側のストッパ孔及び内管に形成された係止孔と作動孔に重なるように位置され、操作ボタンを押圧する時支持突起が挿入されるように長く形成した出沒部の上側のストッパ孔を含むことを特徴とする。
【００１４】
第九、前記手元の内側に下方へ開口されるように形成されている空間の下部を密閉するカバーと；前記空間に内装され、カバーと内管の下端に形成された支持管との間に位置するように設置した第２補助コイルスプリングとを含むことを特徴とする。
【００１５】
第十、前記手元の内側に形成した空間と；前記空間に挿入された第２補助コイルスプリングと；手元内部の空間の上側に設置孔を形成し、設置孔には前記第２補助コイルスプリングを支持するスプリング支持具が外管の外部に嵌められた状態に配置され、スプリング支持具には側面が開口された挿入孔を形成し、挿入孔には突起が対向して形成されるストッパを外管の外部に嵌められた状態になるように結合し；前記挿入孔の下側には設置孔の一側下端に形成された傾斜案内面が挿入される孔を形成し；前記ストッパに形成された突起の中の一方は上下側に傾斜面を形成して外管に形成された係止孔と内管の支持管に形成された第２作動孔に挿入されるようにし；他方は上向きに傾斜された傾斜面を形成して外管に形成された作動孔と、内管の支持管に形成した第２係止孔に挿入されるようにしたことを特徴とする。
【００１６】
第十一、前記受骨固定部材と親骨固定部材との間に設置した補助コイルスプリングと；傘を折り畳んだ状態で補助コイルスプリングが内装されるように親骨固定部材に一体に形成したスプリングハウジングとを含むことを特徴とする。
【００１７】
第十二、前記親骨固定部材に結合される親骨の結合部の直径は受骨固定部材に結合される受骨の結合部の直径より大きい寸法に構成したことを特徴とする。
【発明の効果】
【００１８】
本発明で提供する傘は構成が簡単で且つ廉価で製作することができ、傘を広げたり折り畳むことが便利な效果を奏し、耐久性が優れて故障の虞を解決することができる。
【００１９】
また、本発明で提供する傘は、親骨が結合される結合部の直径が受骨が結合される結合部の直径より大きい寸法に構成されていて、小さな力でも傘を容易に広げたり折り畳むことができる。
【図面の簡単な説明】
【００２０】
【図１】本発明の好ましい第１実施形態で傘が広げられた状態を示す断面図である。
【図２】本発明の好ましい第１実施形態で傘が折り畳まれた状態を示す断面図である。
【図３】本発明の第１実施形態の主要部抜粋分解斜視図である。
【図４】本発明の第２実施形態で傘が広げられた状態を示す断面図である。
【図５】本発明の第２実施形態で傘が折り畳まれる前の状態を示す断面図である。
【図６】本発明の第２実施形態で傘が完全に折り畳まれた状態を示す断面図である。
【図７】本発明の第３実施形態で傘が広げられた状態を示す断面図である。
【図８】本発明の第３実施形態で傘が折り畳まれた状態を示す断面図である。
【図９】本発明の第３実施形態で傘が完全に折り畳まれた状態でコイルスプリングを圧縮した状態を示す断面図である。
【図１０】本発明の第３実施形態の主要部抜粋分解斜視図である。
【図１１】本発明の第４実施形態で傘が広げられた状態を示す断面図である。
【図１２】本発明の第４実施形態で傘が１／３ないし１／２程度折り畳まれた状態を示す断面図である。
【図１３】本発明の第４実施形態で傘が完全に折り畳まれた状態を示す断面図である。
【図１４】本発明の第４実施形態で傘が完全に折り畳まれた状態でコイルスプリングを圧縮した状態を示す断面図である。
【図１５】本発明の第５実施形態で傘が広げられた状態を示す断面図である。
【図１６】本発明の第５実施形態で傘が折り畳まれた状態を示す断面図である。
【図１７】本発明の第５実施形態で傘が完全に折り畳まれた状態でコイルスプリングと第２補助コイルスプリングを圧縮した状態を示す断面図である。
【図１８】本発明の第６実施形態で傘が広げられた状態を示す断面図である。
【図１９】本発明の第６実施形態で傘が折り畳まれた状態を示す断面図である。
【図２０】本発明の第６実施形態で傘が完全に折り畳まれた状態でコイルスプリングと第２補助コイルスプリングを圧縮した状態を示す断面図である。
【図２１】本発明の第７実施形態で傘が広げられた状態を示す断面図である。
【図２２】本発明の第７実施形態で傘が折り畳まれた状態を示す断面図である。
【図２３】本発明の第７実施形態で傘が完全に折り畳まれた状態でコイルスプリングと第２補助コイルスプリングを圧縮した状態を示す断面図である。
【図２４】本発明の第７実施形態の主要部抜粋拡大図である。
【図２５】本発明の第８実施形態で傘が広げられた状態を示す断面図である。
【図２６】本発明の第８実施形態で傘が折り畳まれた状態を示す断面図である。
【図２７】本発明の第８実施形態で傘が完全に折り畳まれた状態でコイルスプリングと第２補助スプリングを圧縮した状態を示す断面図である。
【図２８】本発明の好ましい第９実施形態で傘が広げられた状態を示す断面図である。
【図２９】本発明の好ましい第９実施形態で傘が折り畳まれた状態を示す断面図である。
【図３０】本発明の第９実施形態の主要部抜粋分解斜視図である。
【図３１】本発明の第１０実施形態で傘が広げられた状態を示す断面図である。
【図３２】本発明の第１０実施形態で傘が折り畳まれる前の状態を示す断面図である。
【図３３】本発明の第１０実施形態で傘が完全に折り畳まれた状態を示す断面図である。
【図３４】本発明の第１１実施形態で傘が広げられた状態を示す断面図である。
【図３５】本発明の第１１実施形態で傘が折り畳まれた状態を示す断面図である。
【図３６】本発明の第１１実施形態で傘が折り畳まれた状態でコイルスプリングを圧縮した状態を示す断面図である。
【図３７】本発明の第１１実施形態の主要部抜粋断面図である。
【図３８】本発明の第１１実施形態の主要部抜粋断面図である。
【図３９】本発明の第１２実施形態で傘が広げられた状態を示す断面図である。
【図４０】本発明の第１２実施形態で傘が１／３乃至１／２程度折り畳まれたり広げられた状態を示す断面図である。
【図４１】本発明の第１２実施形態で傘が完全に折り畳まれた状態を示す断面図である。
【図４２】本発明の第１２実施形態で傘が完全に折り畳まれた状態でコイルスプリングを圧縮した状態を示す断面図である。
【図４３】本発明の第１３実施形態で傘が広げられた状態を示す断面図である。
【図４４】本発明の第１３実施形態で傘が折り畳まれた状態を示す断面図である。
【図４５】本発明の第１３実施形態で傘が完全に折り畳まれた状態でコイルスプリングと第２補助コイルスプリングを圧縮した状態を示す断面図である。
【図４６】本発明の第１４実施形態で傘が広げられた状態を示す断面図である。
【図４７】本発明の第１４実施形態で傘が折り畳まれた状態を示す断面図である。
【図４８】本発明の第１４実施形態で傘が完全に折り畳まれた状態でコイルスプリングと第２コイルスプリングを圧縮した状態を示す断面図である。
【図４９】本発明の第１５実施形態で傘が広げられた状態を示す断面図である。
【図５０】本発明の第１５実施形態で傘が折り畳まれた状態を示す断面図である。
【図５１】本発明の第１５実施形態で傘が完全に折り畳まれた状態でコイルスプリングと第２コイルスプリングを圧縮した状態を示す断面図である。
【図５２】本発明の第１５実施形態の主要部抜粋拡大断面図である。
【図５３】本発明の第１６実施形態で傘が広げられた状態を示す断面図である。
【図５４】本発明の第１６実施形態で傘が折り畳まれた状態を示す断面図である。
【図５５】本発明の第１６実施形態で傘が完全に折り畳まれた状態でコイルスプリングと第２補助コイルスプリングを圧縮した状態を示す断面図である。
【発明を実施するための形態】
【００２１】
以下、添付図面に基づいて本発明で提供する実施形態の構成を説明する。
【００２２】
図１は本発明の好ましい第１実施形態で傘が広げられた状態を示す断面図を示し、図２は本発明の好ましい第１実施形態で傘が折り畳まれた状態を示す断面図を示し、図３は本発明の第１実施形態の主要部抜粋分解斜視図を示す。
【００２３】
第１実施形態で提供する傘１は後述する第２〜第８実施形態の基本的な概念を有する構成である。
【００２４】
図面によれば、中棒２を手元３が下端に結合された外管４と、外管４の内側に結合される内管５で構成する。
【００２５】
前記外管４と内管５の上端にはそれぞれ受骨固定部材６と親骨固定部材７を設置し、これらにはそれぞれ骨アセンブリー８の受骨８ａと親骨８ｂを回動可能に組み立てる。この時、親骨固定部材７に形成され、親骨８ｂが結合される結合部７ａの直径は受骨固定部材６に形成され、受骨８ａが結合される結合部６ａの直径より大きい寸法に構成される。
【００２６】
このような構成は少ない力で傘１を広げたり折り畳むことができるようにするための構成である。
【００２７】
前記親骨８ｂが結合される結合部７ａの直径が受骨８ａが結合される結合部６ａの直径より小さかったり同じであると、傘１を広げたり折り畳むことができないし、親骨８ｂが結合される結合部７ａの直径が大きくなるほど傘１をより容易に広げたり折り畳むことができ、これは本発明の核心技術で、後述する各実施形態で共通に適用される構成である。
【００２８】
前記外管４には手元３の上側に上下方向に長く作動孔４ａを対向して形成し、作動孔４ａには内管５を貫通するピン９を挟んで外管４の外部に沿って昇降する作動手元１０と一体で組み立てられる。
【００２９】
前記手元３の内側に位置する外管４の下端には作動孔４ｂを形成し、この作動孔４ｂにはスプリング１１によって弾性支持されるように手元３に設置される操作ボタン１２に形成した係止突起１２ａが挿入される。
【００３０】
また、前記内管５には作動手元１０の下方に内管５が昇降移動される上死点と下死点に符合する位置に係止孔５ａ、５ｂを形成して前記操作ボタン１２に形成された係止突起１２ａが選択的に結合されるようにする。
【００３１】
また、内管５の中上端には内管５が過度に上昇することを防止する手段としてストッパ突起５ｃが形成されている。
【００３２】
上述した第１実施形態の傘１を広げる方法は、図２のように、傘１が折り畳まれた状態で、まず手元３に設置されている操作ボタン１２をスプリング１１の方に押圧する。
【００３３】
前記のように、操作ボタン１２が押圧されると、操作ボタン１２に形成されている係止突起１２ａが内管５の上側係止孔５ａから離脱されるが、この時、作動手元１０を手で握って上方へ少しだけ移動させると、内管５が上昇しながら傘１を広げ、押圧力が除去された操作ボタン１２はスプリング１１の弾性力によって原位置に復元されながら内管５の下端に形成されている係止孔５ｂに係止突起１２ａが挿入されて傘１を広げた状態で固定する。
【００３４】
また、傘１を使用した後折り畳む時には、まず手元３に設置されている操作ボタン１２をスプリング１１の方に押圧する。
【００３５】
操作ボタン１２が押圧されると、係止突起１２ａが内管５の下側係止孔５ｂから離脱されるが、この時、傘布の張力と骨アセンブリー８の重量によって中棒２の内管５が下方へ移動することになって傘１がほぼ折り畳まれた状態になるので、作動手元１０を手で握って少しだけ下方へ引けば内管５の上側に形成された係止孔５ａに操作ボタン１２に形成された係止突起１２ａが挿入されて傘１を折り畳んだ状態で固定する。
【００３６】
前記のように傘１を構成する場合、傘１を広げたり折り畳む作動が手元３の付近で外管４に沿って昇降する作動手元１０の短いストローク距離内で行われ、また親骨固定部材７に形成され、親骨８ｂが結合する結合部７ａの直径を受骨固定部材６に形成されて受骨８ａが結合する結合部６ａの直径より大きくすれば少ない力で傘を広げることができるので傘１を広げたり折り畳むことが便利である。
【００３７】
図４は本発明の第２実施形態で傘が広げられた状態を示す断面図を示し、図５は本発明の第２実施形態で傘が折り畳まれる前の状態を示す断面図で、図６は本発明の第２実施形態で傘が完全に折り畳まれた状態を示す断面図を示す。
【００３８】
本発明の第２実施形態は前記第１実施形態と同じ構成で、傘１を構成するにおいて、前記外管４と内管５の上端にそれぞれ受骨固定部材６と親骨固定部材７を設置し、これらにはそれぞれ骨アセンブリー８の受骨８ａと親骨８ｂを回動可能に組み立てて、前記受骨固定部材６と親骨固定部材７の間には補助コイルスプリング１３を設置し、傘１を折り畳んだ状態で親骨固定部材７に一体に形成されたスプリングハウジング１４に補助コイルスプリング１３が内装されるようにした構成である。
【００３９】
前記補助コイルスプリング１３の弾性力は傘１を１／３乃至１／２広げる程度が好ましい。補助コイルスプリング１３の張力を高めて傘１を完全に広げるようにすることもできるが、このような構成は今後傘１を折り畳むことが困難で、補助コイルスプリング１３の張力を減少する場合、補助コイルスプリング１３を挿入する意味がない。
【００４０】
以上のように、本発明は第２実施形態のように構成する場合、前記第１実施形態のように傘１を広げるために操作ボタン１２を押圧する場合、外管４と内管５の上端に結合されている受骨固定部材６と親骨固定部材７の間にある補助コイルスプリング１３が膨脹しながら傘布の張力と骨アセンブリー８の自重が平衡して傘１を１／３ないし１／２程度広げるので、作動手元１０を手で握って上方へ少しだけ移動させると、内管５が上昇しながら親骨固定部材７を押し上げて傘１を広げることができる。この時、補助コイルスプリング１３の残余弾性力が作用するので傘１を少ない力で広げることができる。
【００４１】
傘１を折り畳む場合は、傘布の張力と骨アセンブリー８の自重と補助コイルスプリング１３の弾性力が平衡して傘１が１／３乃至１／２程度折り畳まれるので作動手元１０を握って少しだけ下へ引くと、内管５が下降しながら親骨固定部材７を引っ張って傘１を折り畳むことができる。この時、骨アセンブリー８の自重が作用するので傘１を少ない力で折り畳むことができる。
【００４２】
図７は本発明の第３実施形態で傘が広げられた状態を示す断面図を示し、図８は本発明の第３実施形態で傘が折り畳まれた状態を示す断面図で、図９は本発明の第３実施形態で傘が完全に折り畳まれた状態でコイルスプリングを圧縮した状態を示す断面図であり、図１０は本発明の第３実施形態の主要部抜粋分解斜視図を示す。
【００４３】
本発明で提供する傘１の第３実施形態によれば、中棒２を手元３が下端に結合された外管４と、外管４の内側に結合される内管５とで構成する。
【００４４】
前記外管４と内管５の上端にはそれぞれ受骨固定部材６と親骨固定部材７を設置し、これらにはそれぞれ骨アセンブリー８の受骨８ａと親骨８ｂを回動可能に組み立てる。この時、親骨固定部材７に形成されて親骨８ｂが結合される結合部７ａの直径は受骨固定部材６に形成されて受骨８ａが結合される結合部６ａの直径より大きい寸法に構成される。
【００４５】
前記内管５の下端には拡管部１５が一体に形成され、拡管部１５の外部には上端に形成された係止突起１７が拡管部１５の上端に係止され、下側に支持突起１６ｄが一体に形成されたスプリング押圧管１６を結合して手元３の下側に出沒されるように構成し、受骨固定部材６の下側に位置するように内管５の中上端に形成したストッパ突起５ｃとスプリング押圧管１６の上端に形成されている係止突起１７の間には外管４の内側に位置するようにコイルスプリング１８を設置する。
【００４６】
前記コイルスプリング１８は圧縮された状態で膨脹される時傘１を広げる力より少し強い弾性力を提供する。
【００４７】
前記手元３にはスプリング１１によって弾性支持される操作ボタン１２と、スプリング１１によって弾性支持され、操作ボタン１２に一体に形成される押圧片１２ｂによって押圧作動する補助ボタン１９を設置するが、操作ボタン１２と補助ボタン１９にはスプリング１１の方にそれぞれ係止突起１２ａ、１９ａを形成し、操作ボタン１２には係止突起１２ａの反対側に昇降防止用突起１２ｃを形成し、押圧片１２ｂの下端には支持突起１２ｄを形成する。
【００４８】
前記係止突起１２ａ、１９ａの反対側に形成された昇降防止用突起１２ｃは操作ボタン１２を押圧した状態で操作ボタン１２が補助ボタン１９を押圧する前に後述する上下部ストッパ孔１５ｃに挿入するように設計し、押圧片１２ｂの下端に形成された支持突起１２ｄは傘１が折り畳まれた状態で操作ボタン１２を押圧した場合、拡管部１５の上側ストッパ孔１５ｃには挿入されないで、傘１が広げられた状態で補助ボタン１９を押圧した場合拡管部１５の下側ストッパ孔１５ｃには挿入される部材である。
【００４９】
操作ボタン１２に形成されている係止突起１２ａは下向きに傾斜された案内面１２ａ′を形成し、補助ボタン１９に形成された係止突起１９ａは上向きに傾斜された案内面１９ａ′を形成する。これら傾斜面１２ａ′、１９ａ′は後述する拡管部１５及びスプリング押圧管１６に形成された作動孔１５ｂ、１６ｂに接する時操作ボタン１２と補助ボタン１９が自然に後退することができる。
【００５０】
前記拡管部１５には上側に係止孔１５ａを小さく形成し、その下側に作動孔１５ｂを長く形成し、スプリング押圧管１６には拡管部１５とは反対に上側に作動孔１６ｂを長く形成し、その下側に係止孔１６ａを短く形成し、これら係止孔１５ａ、１６ａと作動孔１５ｂ、１６ｂは重ねられた状態で位置し、前記操作ボタン１２と補助ボタン１９に形成された係止突起１２ａ、１９ａがこれら係止孔１５ａ、１６ａと作動孔１５ｂ、１６ｂに選択的に結合される。
【００５１】
また、前記拡管部１５には作動孔１５ａと係止孔１５ｂの反対側の上側と下側に操作ボタン１２に形成された昇降防止用突起１２ｃ及び支持突起１２ｄが挿入されるストッパ孔１５ｃを形成し、スプリング押圧管１６には下側にストッパ孔１６ｃを形成する。
【００５２】
前記拡管部１５の上側に形成されたストッパ孔１５ｃは拡管部１５の係止孔１５ａと作動孔１５ｂに重なるように短く形成され、拡管部１５の下側とスプリング押圧管１６に形成されたストッパ孔１５ｃ、１６ｃは拡管部１５に形成された作動孔１５ｂとスプリング押圧管１６に形成された係止孔１６ａと作動孔１６ｂに重なるように同じ大きさに形成し、前記拡管部１５の上側に形成されたストッパ孔１５ｃより少し長く形成する。
【００５３】
第３実施形態のように構成された傘１を広げようとする時には、図９のように傘１が折り畳まれた状態で手元３に設置されている操作ボタン１２を押圧する。
【００５４】
前記のように、操作ボタン１２を押圧すると、スプリング押圧管１６に形成されているストッパ孔１６ｃを通じて拡管部１５の上端に形成されたストッパ孔１５ｃに操作ボタン１２に形成された昇降防止用突起１２ｃが挿入される時、拡管部１５の係止孔１５ａに挿入されている係止突起１２ａがスプリング押圧管１６に形成されている作動孔１６ｂに移動されながらコイルスプリング１８が内管５を押し上げる。
【００５５】
この時、操作ボタン１２に形成されている支持突起１２ｄは拡管部１５の外面に接地された状態を保持していて、スプリング押圧管１６の下側に形成された係止孔１６ａに挿入されてスプリング押圧管１６を固定した状態に保持する補助ボタン１９と接触しないで、操作ボタン１２を押圧した状態を保持していると、傘１はこれ以上広がらない。
【００５６】
即ち、操作ボタン１２を押圧した状態である時、操作ボタン１２に形成された昇降防止用突起１２ｃが拡管部１５の上端に形成されたストッパ孔１５ｃの下端に係止された状態で内管５の上昇を制御するので、スプリング押圧管１６に形成されている作動孔１６ｂに移動した係止突起１２ａは拡管部１５に形成されている作動孔１５ｂの外側に位置される。
【００５７】
前記のように、操作ボタン１２をまず押した後押圧力を解除すると、スプリング１１の弾性力によって操作ボタン１２が後退しながら昇降防止用突起１２ｃが拡管部１５の上端に形成されたストッパ孔１５ｃから抜け、係止突起１２ａが拡管部１５に形成されている作動孔１５ｂの内側に挿入されるが、この時圧縮状態であるコイルスプリング１８が内管１５を完全に押し上げて傘１が広げられる。
【００５８】
傘１が広げられた状態である時、内管５が上昇した状態であるので、拡管部１５の下端に形成されたストッパ孔１５ｃとスプリング押圧管１６に形成されたストッパ孔１６ｃが一致し、操作ボタン１２の押圧片１２ｂの下端に形成された支持突起１２ｄもストッパ孔１５ｃ、１６ｃに挿入可能な状態である。
【００５９】
前記のように、傘１を使用した後傘１を折り畳む時にも、前記のように操作ボタン１２を押せば良い。
【００６０】
即ち、操作ボタン１２を押圧すると、操作ボタン１２に形成された昇降防止用突起１２ｃが拡管部１５の下部のストッパ孔１５ｃとストッパ押圧管１６のストッパ孔１６ｃに挿入され、押圧片１２ｂに形成されている支持突起１２ｄもともにストッパ孔１５ｃ、１６ｃに挿入されるが、この時、押圧片１２ｂが補助ボタン１９を押圧するので、スプリング押圧管１６の係止孔１６ａに挿入されている係止突起１９ａが離脱される。
【００６１】
この時、スプリング押圧管１６は内管５とともに下側に若干移動してストッパ孔１５ｃ、１６ｃの上端が昇降防止用突起１２ｃに係止されて停止し、操作ボタン１２及び補助ボタン１９に形成されている係止突起１２ａ、１９ａはスプリング押圧管１６の上側に形成されている作動孔１６ｂの外側に位置し、このような状態で操作ボタン１２で押圧力を解除すれば、操作ボタン１２と補助ボタン１９がスプリング１１の張力によってともに復元されながら係止突起１２ａ、１９ａがスプリング押圧管１６に形成された作動孔１６ｂを通じて拡管部１５に形成されている作動孔１５ｂに挿入され、スプリング押圧管１６の上部に形成されている係止突起１７と内管５の中上端に形成されているストッパ突起５ｃの間で膨脹された状態で挟まれているコイルスプリング１８とスプリング押圧管１６と内管５は一体になって、係止突起１２ａ、１９ａに干渉されないで傘布の張力と骨アセンブリー８の自重によって下降する。
【００６２】
即ち、傘１が折り畳まれる時はコイルスプリング１８の作用が全くない。前記のように、スプリング押圧管１６が下降するが、傘１が完全に折り畳まれた状態でないので、上述した状態でスプリング押圧管１６を下方へ少し引っ張って、拡張管１５の上端に形成された係止孔１５ａに操作ボタン１２に形成されている係止突起１２ａが挿入されるようにして、傘１が折り畳まれた状態を保持する。
【００６３】
このような状態で、今後傘１を広げることができるように、スプリング押圧管１６を手元３の方に押し入れてコイルスプリング１８を圧縮する。
【００６４】
この時、スプリング押圧管１６の下端に形成されている係止孔１６ａに補助ボタン１９の係止突起１９ａが挿入されて固定される。
【００６５】
図１１は本発明の第４実施形態で傘が広げられた状態を示す断面図を示し、図１２は本発明の第４実施形態で傘が１／３乃至１／２程度折り畳まれた状態を示す断面図で、１３は本発明の第４実施形態で傘が完全に折り畳まれた状態を示す断面図で、図１４は本発明の第４実施形態で傘が完全に折り畳まれた状態でコイルスプリングを圧縮した状態を示す断面図を示す。
【００６６】
本発明の第４実施形態は前記第３実施形態のように傘１を構成するにおいて、傘１を容易に広げるようにしたもので、前記受骨固定部材６と親骨固定部材７の間には補助コイルスプリング１３を設置し、傘１を折り畳んだ状態で親骨固定部材７に一体に形成されたスプリングハウジング１４にコイルスプリング１３が内装されるようにした構成である。
【００６７】
前記補助コイルスプリング１３は内管５の中上端に形成したストッパ突起５ｃとスプリング押圧管１６の上端に形成されている係止突起１７の間に設置されるコイルスプリング１８の弾性力を補強して傘１をより容易に広げるようにする機能を有する。
【００６８】
以上のように、本発明を第４実施形態のように傘１を構成する場合、前記第３実施形態のように傘１を広げる時、コイルスプリング１８とともに補助コイルスプリング１３が膨脹されるので傘１を容易に広げるようになる。
【００６９】
図１５は本発明の第５実施形態で傘が広げられた状態を示す断面図を示し、図１６は本発明の第５実施形態で傘が折り畳まれた状態を示す断面図で、図１７は本発明の第５実施形態で傘が完全に折り畳まれた状態でコイルスプリングと第２補助コイルスプリングを圧縮した状態を示す断面図を示す。
【００７０】
第５実施形態は本発明の第３実施形態のように傘１を構成するにおいて、傘１をより容易に折り畳むようにしたもので、前記手元３の内側に下向きに開口された空間３ａを形成して、この空間３ａには手元３とスプリング押圧管１６の下端に形成された支持突起１６ｄの間に位置するように第２補助コイルスプリング２０を設置した構成である。
【００７１】
前記第２補助コイルスプリング２０は傘１を折り畳む時より效果的に折り畳むようにするものである。
【００７２】
即ち、第３実施形態のように傘１を構成した状態で、広げられた傘１を折り畳むために操作ボタン１２を押圧すると、操作ボタン１２に形成された昇降防止用突起１２ｃが拡管部１５の下部のストッパ孔１５ｃとスプリング押圧管１６に形成されたストッパ孔１６ｃに挿入され、押圧片１２ｂに形成されている支持突起１２ｄもともにストッパ孔１５ｃ、１６ｃに挿入されるが、この時押圧片１２ｂが補助ボタン１９を押圧するので、スプリング押圧管１６の係止孔１６ａに挿入されている係止突起１９ａが離脱される。
【００７３】
この時、スプリング押圧管１６は内管５とともに下側に若干移動してストッパ孔１５ｃ、１６ｃの上端が操作ボタン１２に形成された昇降防止用突起１２ｃに係止されて停止し、操作ボタン１２及び補助ボタン１９に形成されている係止突起１２ａ、１９ａはスプリング押圧管１６の上側に形成されている作動孔１６ｂの外側に位置するようになるが、このような状態で操作ボタン１２で押圧力を解除すると、操作ボタン１２と補助ボタン１９がスプリング１１の張力によってともに復元されながら係止突起１２ａ、１９ａがスプリング押圧管１６に形成された作動孔１６ｂを通じて拡管部１５に形成されている作動孔１５ｂに挿入され、スプリング押圧管１６の上部に形成されている係止突起１７と内管５の中上端に形成されているストッパ突起５ｃの間で膨脹された状態で挟まれているコイルスプリング１８とスプリング押圧管１６と内管５は一体になって係止突起１２ａ、１９ａに干渉されないで傘布の張力と骨アセンブリー８の自重によって下降し、同時に、手元３とスプリング押圧管１６の下端に形成されている支持突起１６ｄの間に位置した第２補助コイルスプリング２０が膨脹されながら傘１を折り畳むので、第３実施形態で傘１を折り畳む時の不便を解消することができる。この時、内管５もともに下方に移動して内管の拡張管１５の上端に形成された係止孔１５ａに操作ボタン１２の係止突起１２ａが挿入されて傘１が折り畳まれた状態を保持する。
【００７４】
前記のように傘１を折り畳んだ状態で、前記のように傘１を広げたり折り畳むためには前記コイルスプリング及び第２補助コイルスプリングを一緒に圧縮すべきであり、これらの圧縮はスプリング押圧管１６を押圧すれば良い。
【００７５】
即ち、手元３を把持した状態で、スプリング押圧管１６を他の手で押せば良いが、この時スプリング押圧管１６の上端に形成された係止突起１７はコイルスプリング１８を支えた状態であり、スプリング押圧管１６の下端に形成されている支持突起１６ｄは第２補助コイルスプリング２０を支えた状態であるので、スプリング押圧管１６は二つのスプリングを同時に押圧しながら上昇し、スプリング押圧管１６の下端係止孔１６ａに補助ボタン１９の係止突起１９ａが挿入して係止されながらスプリング押圧管１６を固定する。
【００７６】
図１８は本発明の第６実施形態で傘が広げられた状態を示す断面図を示し、図１９は本発明の第６実施形態で傘が折り畳まれた状態を示す断面図で、図２０は本発明の第６実施形態で傘が完全に折り畳まれた状態でコイルスプリングと第２補助コイルスプリングを圧縮した状態を示す断面図を示す。
【００７７】
本発明の第６実施形態は前記第３実施形態に第４実施形態の補助コイルスプリング１３と、第５実施形態の第２補助コイルスプリング２０を複合的に適用したもので、傘１を容易に広げたり折り畳むようにしたものである。
【００７８】
本実施形態の構成は図示されたように、第３実施形態のように傘１を構成するにおいて、前記受骨固定部材６と親骨固定部材７の間には補助コイルスプリング１３を設置し、傘１を折り畳んだ状態で親骨固定部材７に一体に形成されたスプリングハウジング１４に補助コイルスプリング１３が内装されるように構成し、前記手元３の内側に下向きに開口された空間３ａを形成し、この空間３ａには手元３とスプリング押圧管１６の下端に形成された支持突起１６ｄの間に位置するように第２補助コイルスプリング２０を設置した構成である。
【００７９】
第６実施形態のように傘１を構成する場合、傘１を広げる時は迅速に広げ、傘１を折り畳む時は第２補助コイルスプリング２０によって傘が急激に折り畳まれないように補助コイルスプリング２０が緩衝作用をして漸次に折り畳まれ、前記第４、５実施形態と同じ使用便利性を提供することができる。
【００８０】
図２１は本発明の第７実施形態で傘が広げられた状態を示す断面図を示し、図２２は本発明の第７実施形態で傘が折り畳まれた状態を示す断面図で、図２３は本発明の第７実施形態で傘が完全に折り畳まれた状態でコイルスプリングと第２補助コイルスプリングを圧縮した状態を示す断面図であり、図２４は本発明の第７実施形態の主要部抜粋拡大図を示す。
【００８１】
本発明の第７実施形態は前記第５実施形態のように傘１を構成するにおいて、特に傘１が自動に折り畳まれることができるようにしたもので、図面によれば、手元３の内側に空間３ａを形成し、第２補助コイルスプリング２０を結合してスプリング押圧管１６によって押圧されるようにした第２補助コイルスプリング２０の押圧を效果的に行うことができるように構成した。
【００８２】
これを具現するための手段として、前記第２補助コイルスプリング２０が結合される手元３の内部の空間３ａの下側に設置孔３ｂを形成し、設置孔３ｂにはスプリング支持具２１が外管４の外部に嵌められた状態に配置され、スプリング支持具２１には側面が開口された挿入孔２１ａを形成し、挿入孔２１ａには対向して突起２２ａ、２２ｂが形成されるストッパ２２を外管４の外部に嵌められた状態になるように結合してスプリング支持具２１の離脱を防止することができるようにする。
【００８３】
前記ストッパ２２に形成された突起２２ａ、２２ｂの中の一方は上下側に傾斜面２２ａ′を有する三角形で、他方は下向きに傾斜された傾斜面２２ｂ′を有する構成である。
【００８４】
また、前記挿入孔２１ａの上側には設置孔３ｂの一側上端に形成された傾斜案内面３ｃが挿入される孔２１ｂを形成してスプリング支持具２１が上昇する時傾斜案内面３ｃが孔２１ｂを通じてストッパ２２を押して動いてストッパ２２に形成された突起２２ａを外管４に形成された係止孔４ｄを通過してスプリング押圧管１６に形成された第２作動孔１６ｅに挿入されるようにし、ストッパ２２に形成された突起２２ｂをスプリング押圧管１６に形成された第２係止孔１６ｆから離脱させて外管４に形成された作動孔４ｃの外側に位置させる。また、スプリング押圧管１６が下降する時スプリング押圧管１６に形成された第２作動孔１６ｅの上端がストッパ２２に形成された突起２２ａの傾斜面２２ａ′を押してストッパ２２を動かして突起２２ａを外管４に形成された係止孔４ｄから離脱されるようにし、ストッパ２２に形成された突起２２ｂを外管４に形成された作動孔４ｃを通過してスプリング押圧管１６に形成された第２係止孔１６ｆに挿入されるようにする。
【００８５】
第７実施形態で提供する傘１を図２３のように折り畳んだ状態で傘を広げる時には、まず手元３に設置されている操作ボタン１２を押圧して前記第３実施形態に説明したような方法で傘を広げる。これに対する具体的な説明は第３実施形態を参照すれば良い。
【００８６】
前記のように、傘１を使用した後傘１を折り畳む時にも前記のように操作ボタン１２を押せば良い。
【００８７】
即ち、操作ボタン１２を押圧すれば操作ボタン１２に形成された昇降防止用突起１２ｃと押圧片１２ｂに形成された支持突起１２ｄもともに拡張管１５とスプリング押圧管１６に形成されたストッパ孔１５ｃ、１６ｃに挿入されるが、この時操作ボタン１２に形成された押圧片１２ｂが補助ボタン１９を押圧するので、スプリング押圧管１６に形成された係止孔１６ａに挿入されている補助ボタン１９に形成された係止突起１９ａが離脱される。
【００８８】
この時、スプリング押圧管１６は下側に若干移動してストッパ孔１５ｃ、１６ｃの上端が操作ボタン１２に形成された昇降防止用突起１２ｃに係止されて停止し、操作ボタン１２及び補助ボタン１９に形成された係止突起１２ａ、１９ａはスプリング押圧管１６の上側に形成されている作動孔１６ｂの外側に位置するが、このような状態で操作ボタン１２で押圧力を解除すると操作ボタン１２と補助ボタン１９がスプリングの張力によってともに復元されながら係止突起１２ａ、１９ａがスプリング押圧管１６に形成された作動孔１６ｂを通じて拡張管１５に形成されている作動孔１５ｂに挿入され、スプリング押圧管１６に形成された上部係止突起１７と内管５の中上端に形成されたストッパ突起５ｃの間で膨脹された状態で挟まれているコイルスプリング１８とスプリング押圧管１６と内管５は一体になって操作ボタン１２と補助ボタン１９に形成された係止突起１２ａ、１９ａに干渉されないで傘布の張力と骨アセンブリー８の自重に下降して傘１が折り畳まれる。
【００８９】
この時、スプリング押圧管１６は下降している途中に外管４に形成された係止孔４ｄに係止されてスプリング押圧管１６に形成された第２作動孔１６ｅに挿入しているストッパ２２に形成された突起２２ａの傾斜面２２ａ′がスプリング押圧管１６に形成された作動孔１６ｅの上端に当接されると、押されて移動してストッパ２２に形成された突起２２ａは外管４に形成された係止孔４ｄから離脱し、同時にストッパ２２に形成された突起２２ｂが外管４に形成された作動孔４ｃを通じてスプリング押圧管１６に形成された第２係止孔１６ｆに挿入される。
【００９０】
前記のように、ストッパ２２に形成された突起２２ａが外管４に形成された係止孔４ｄから離脱され、ストッパ２２に形成された突起２２ｂがスプリング押圧管１６に形成された第２係止孔１６ｆに挿入されると、第２コイルスプリング２０の弾性によってスプリング支持具２１とともにスプリング押圧管１６が下降しながら内管５を引っ張ってほぼ折り畳まれている傘を完全に折り畳む。この時、内管５の下部の拡管部１５に形成された係止孔１５ａに操作ボタン１２に形成された係止突起１２ａが挿入されて固定される。このような状態で、前記のように傘１を広げたり折り畳むためには前記コイルスプリング１８と第２補助スプリング２０をともに圧縮すべきであり、これらの圧縮はスプリング押圧管１６を押圧すれば良いが、第５実施形態の場合、第２補助スプリング２０をコイルスプリング１８と同じストローク距離に同時に圧縮するので圧縮にたくさんの力が必要となるなどの問題点がある。
【００９１】
しかし、本発明の第７実施形態によれば、図２２でスプリング押圧管１６を圧縮すればストッパ２２に形成された突起２２ｂが外管４に形成された作動孔４ｃを通じてスプリング押圧管１６に形成された第２係止孔１６ｆの下端に係止されているので、スプリング押圧管１６はスプリング支持具２１とともに上昇してコイルスプリング１８と第２補助スプリング２０がともに圧縮される。この時、スプリング支持具２１に形成された挿入孔２１ａの上側に形成されている孔２１ｂを通じて手元３の内部に設置された設置孔３ｂに形成されている傾斜案内面３ｃが挿入されながらストッパ２２は突起２２ｂの方へ押圧されて移動してストッパ２２に形成された突起２２ａは外管４の係止孔４ｄを通じてスプリング押圧管１６に形成された第２作動孔１６ｅに挿入され、ストッパ２２に形成された突起２２ｂは第２係止孔１６ｆから離脱して外管の作動孔４ｃの外側に位置される。
【００９２】
この時、スプリング押圧管１６とストッパ２２が接触されないので、スプリング押圧管１６はコイルスプリング１８の圧縮のみ使用される。この時、圧縮された第２補助コイルスプリング２０は圧縮されたまま前記突起２２ａによって外管４の係止孔４ｄの下部に係止されて固定される。
【００９３】
このような状態でスプリング押圧管１６はコイルスプリング１８のみ圧縮しながら上昇している途中にスプリング押圧管１６の係止孔１６ａに補助ボタン１９の係止突起１９ａが挿入されて係止されながら、スプリング押圧管１６は固定されてスプリングの圧縮は完了される。
【００９４】
前記のように、スプリング押圧管１６は、初期に手元３の内部の設置孔３ｂに形成された傾斜案内面３ｃまで短い距離に押圧して第２補助コイルスプリング２０を圧縮して外管４の係止孔４ｄに固定し、その後に、コイルスプリング１８を圧縮するのでスプリング押圧管１６を圧縮しており、第５実施形態に比べて少ない力で済む。
【００９５】
図２５は本発明の第８実施形態で傘が広げられた状態を示す断面図を示し、図２６は本発明の第８実施形態で傘が折り畳まれた状態を示す断面図で、図２７は本発明の第８実施形態で傘が完全に折り畳まれた状態でコイルスプリングと第２補助スプリングを圧縮した状態を示す断面図を示す。
【００９６】
本発明の第８実施形態は前記第７実施形態のように傘を構成するにおいて、傘１を容易に広げるようにしたもので、前記受骨固定部材６と親骨固定部材７の間には補助コイルスプリング１３を設置し、傘１を折り畳んだ状態で親骨固定部材７に一体に形成されたスプリングハウジング１４に補助コイルスプリング１３が内装されるようにした構成である。
【００９７】
前記補助コイルスプリング１３は内管５の中上端に形成したストッパ突起５ｃとスプリング押圧管１６の上端に形成されている係止突起１７との間に設置されるコイルスプリング１８の弾性力を補強して傘１をより容易に広げるようにする機能を有し、手元３の内側に設置される第２補助コイルスプリング２０より弾性力の弱いものを選択して使用する。
【００９８】
第８実施形態のように構成した場合、傘１を広げる時は迅速に広げ、第２補助コイルスプリング２０によって傘を折り畳む時は補助コイルスプリング１３が緩衝する役割を果たして傘が急激に折り畳まれないで漸次に折り畳まれる。
【００９９】
図２８は本発明の好ましい第９実施形態で傘が広げられた状態を示す断面図を示し、図２９は本発明の好ましい第９実施形態で傘が折り畳まれた状態を示す断面図を示し、図３０は本発明の第９実施形態の主要部抜粋分解斜視図を示す。
【０１００】
第９実施形態で提供する傘１０１は後述する第１０〜第１６実施形態の基本的な概念を有する構成である。
【０１０１】
図面によれば、中棒１０２を、手元１０３が下端に結合された外管１０４と、外管１０４の内側に結合される内管１０５とで構成する。
【０１０２】
前記外管１０４の上端には親骨固定部材１０７が結合され、親骨固定部材１０７の下側には上下方向に長く作動孔１０４ａを対向して形成する。
【０１０３】
前記作動孔１０４ａには内管１０５の上端に嵌められて固定されたピン１０９が結合され、このピン１０９には外管１０４に沿って昇降するように受骨固定部材１０６を結合する。
【０１０４】
前記外管１０４と内管１０５の上端に設置されている親骨固定部材１０７と受骨固定部材１０６にはそれぞれ骨アセンブリー１０８の親骨１０８ｂと受骨１０８ａを回動可能に組み立てる。この時、外管１０４の上端に設置される親骨固定部材１０７に形成され、親骨１０８ｂが結合される結合部１０７ａの直径は内管１０５の上端にピン１０９で結合される受骨固定部材１０６に形成され、受骨１０８ａが結合される結合部１０６ａの直径より大きい寸法で構成される。
【０１０５】
前記手元１０３の内側に位置する外管１０４の下端には作動孔１０４ｂを形成し、この作動孔１０４ｂにはスプリング１１１によって弾性支持されるように手元１０３に設置される操作ボタン１１２に形成した係止突起１１２ａが挿入される。
【０１０６】
前記内管１０５は傘１０１が広げられた状態の時は手元１０３の内側から引き出され、傘１０１を折り畳む時は手元１０３の内側に入る出沒部１２３が拡管された状態に形成され、出沒部１２３には前記操作ボタン１１２の係止突起１１２ａに係止されることができるように、傘１０１が広げられた上死点と、傘１０１が折り畳まれた下死点に位置するように係止孔１２３ａ、１２３ｂを形成し、出沒部１２３の下端部には係止突起１２３ｃを形成した構成である。
【０１０７】
以上のように構成される第９実施形態で提供する傘１０１を図２９のように折り畳んだ状態で広げようとする時には、まず手元１０３に設置されている操作ボタン１１２をスプリング１１１の方に押圧して、出沒部１２３の下死点に形成されている係止孔１２３ｂから操作ボタン１１２の係止突起１１２ａが分離するようにする。
【０１０８】
前記のように、係止孔１２３ｂから係止突起１１２ａを分離した状態で手元１０３の下側に位置する出沒部１２３の下端の係止突起１２３ｃを手で握って下側方向に引くと、内管１０５の上端にピン１０９で結合されている受骨固定部材１０６が外管１０４に形成された作動孔１０４ａに沿って下方に移動されて、この時、骨アセンブリー１０８の親骨１０８ｂと受骨１０８ａが広がる。
【０１０９】
前記のように、傘１０１が広げられた状態で操作ボタン１１２はスプリング１１１の弾性力によって原状態に復元されながら係止突起１１２ａが出沒部１２３の上死点に形成された係止孔１２３ａに挿入されて傘１０１を広げた状態に固定される。
【０１１０】
相反に、前記のように、傘１０１を広げた状態で使用した後傘１０１を折り畳む時には傘１０１を広げる時と同じく、操作ボタン１１２を押圧すると、出沒部１２３の上死点に形成された係止孔１２３ａに挿入されている係止突起１１２ａが抜けられる。
【０１１１】
この時、傘布の張力と骨アセンブリー１０８の自重によって内管１０５の上端にピン１０９で結合されている受骨固定部材１０６が外管１０４に形成された作動孔１０４ａに沿って上方へ移動され、骨アセンブリー１０８の親骨１０８ｂと受骨１０８ａが折られて、傘１０１がほぼ折り畳まれた状態で手元１０３の下端にほぼ近接している出沒部１２３の係止突起１２３ｃを少しだけ押し上げると、操作ボタン１１２はスプリング１１１の弾性力によって原状態に復元されながら係止突起１１２ａが出沒部１２３の下死点に形成された係止孔１２３ｂに挿入されて傘１０１を折り畳んだ状態に固定する。
【０１１２】
前記のように、傘１０１を構成する場合、傘１０１を広げたり折り畳む作動が手元１０３の下方へ出沒する出沒部１２３の短いストローク距離内で行われ、また、前記のように、外管１０４の上端に設置される親骨固定部材１０７に形成され、親骨１０８ｂが結合される結合部１０７ａの直径を内管１０５の上端にピン１０９で結合される受骨固定部材１０６に形成され、受骨１０８ａが結合される結合部１０６ａの直径より大きくすると、少ない力で傘１０１を広げることができるので傘１０１を広げたり折り畳むことが容易である。
【０１１３】
図３１は本発明の第１０実施形態で傘が広げられた状態を示す断面図を示し、図３２は本発明の第１０実施形態で傘が折り畳まれる前の状態を示す断面図で、図３３は本発明の第１０実施形態で傘が完全に折り畳まれた状態を示す断面図を示す。
【０１１４】
本発明の第１０実施形態は前記第９実施形態と同じ構成で、傘１０１を構成するにおいて、前記外管１０４と内管１０５の上端にそれぞれ親骨固定部材１０７と受骨固定部材１０６を設置し、これらにはそれぞれ骨アセンブリー１０８の親骨１０８ｂと受骨１０８ａを回動可能に組み立て、前記親骨固定部材１０７と受骨固定部材１０６の間には補助コイルスプリング１１３を設置し、傘１０１を折り畳んだ状態で親骨固定部材１０７に一体に形成されたスプリングハウジング１１４にコイルスプリング１１３が内装されるようにした構成である。
【０１１５】
前記補助コイルスプリング１１３の弾性力は傘１０１を１／３乃至１／２広げる程度が好ましい。補助コイルスプリング１１３の張力を高めて傘１０１を完全に広げることもできるが、このような構成は、今後傘１０１を折り畳むことが困難で、補助コイルスプリング１１３の張力を減少する場合、補助コイルスプリング１１３を挿入する意味がない。
【０１１６】
以上のように、本発明を第１０実施形態のように傘１０１を構成する場合、前記第９実施形態のように傘１０１を広げるために操作ボタン１１２を押圧すると、補助コイルスプリング１１３が膨脹しながら受骨固定部材１０６を下方へ押し、この時傘１０１が１／３乃至１／２程度広げられるので、このような状態で出沒部１２３の下端の係止突起１２３ｃを手で握って下側の方向に引くと、傘１０１が完全に広げられて、傘１０１を容易に広げることができる使用便利性を提供する。
【０１１７】
以上のように、本発明は第１０実施形態のように構成する場合、前記第９実施形態のように傘１０１を広げるために操作ボタン１１２を押圧する場合、外管１０４と内管１０５の上端に結合されている親骨固定部材１０８ｂと受骨固定部材１０８ａの間にある補助コイルスプリング１１３が膨脹しながら傘布の張力と骨アセンブリー１０８の自重と平衡して、傘１０１を１／３ないし１／２程度広げられるので、このような状態で出沒部１２３の下端の係止突起１２３ｃを少しだけ引くと、内管１０５の上端にピン１０９で結合されている受骨固定部材１０６が外管１０４に形成された作動孔１０４ａに沿って下方に移動して傘１０１を広げることができる。この時補助コイルスプリング１１３の残余弾性力が作用するので傘１０１を少ない力で広げることができる。
【０１１８】
また、傘１０１を折り畳む場合は、傘布の張力と骨アセンブリー１０８の自重と補助コイルスプリング１１３の弾性力が平衡して、傘１０１が１／３乃至１／２程度折り畳まれるので、出沒部１２３の下端の係止突起１２３ｃを少しだけ押せば、傘１０１を折り畳むことができる。この時、骨アセンブリー１０８の自重が作用するので傘１０１を少ない力で折り畳むことができる。
【０１１９】
図３４は本発明の第１１実施形態で傘が広げられた状態を示す断面図を示し、図３５は本発明の第１１実施形態で傘が折り畳まれた状態を示す断面図で、図３６は本発明の第１１実施形態で傘が折り畳まれた状態でコイルスプリングを圧縮した状態を示す断面図を示す。
【０１２０】
また、図３７、図３８は本発明の第１１実施形態の主要部抜粋断面図を示す。
【０１２１】
本発明の第１１実施形態で提供する傘１０１は、中棒１０２を手元１０３が下端に結合された外管１０４と、外管１０４の内側に結合される内管１０５とで構成する。
【０１２２】
前記外管１０４の上端には親骨固定部材１０７を結合し、前記内管１０５は親骨固定部材１０７に形成された貫通孔１０７ｂに組み立てられて上下方向にスライド可能に結合された状態で手元１０３の内側に位置する下端に係止突起１０５ａが形成されるように支持管１０５ｂを形成する。
【０１２３】
前記内管１０５の上端外部には下部に段差１２４ａが形成されたスプリング支持管１２４を被せて一体で結合し、親骨固定部材１０７の下側の外管１０４には上下方向に長く作動孔１０４ａを対向して形成し、内管１０５及び内管１０５に結合されるスプリング支持管１２４には前記作動孔１０４ａと連通されるように上下方向に長く作動孔１２５を形成する。
【０１２４】
前記内管１０５とスプリング支持管１２４との間には作動管１２６の上端を挟んで、前記作動孔１０４ａ、１２５には、作動管１２６の上端に挟まれて固定されたピン１０９が結合され、このピン１０９には外管１０４に沿って昇降するように受骨固定部材１０６を結合する。
【０１２５】
前記外管１０４と作動管１２６にそれぞれ設置される親骨固定部材１０７と受骨固定部材１０６にはそれぞれ骨アセンブリー１０８の親骨１０８ｂと受骨１０８ａを回動可能に組み立てる。この時、親骨固定部材１０７に形成されて、骨１０８ｂが結合される結合部１０７ａの直径は受骨固定部材１０６に形成されて、受骨１０８ａが結合される結合部１０６ａの直径より大きい寸法で構成される。
【０１２６】
前記作動管１２６の下端に一体に形成された出沒部１２７の上端には段差１２７ａが形成され、出沒部１２７の下端には係止突起１２７ｂを形成して手元１０３に係止させる。
【０１２７】
前記内管１０５に一体に形成されるスプリング支持管１２４の段差１２４ａと、作動管１２６と出沒部１２７の境界に形成した段差１２７ａとの間には外管１０４の内側に位置するようにコイルスプリング１１８を設置する。
【０１２８】
前記コイルスプリング１１８は圧縮された状態で膨脹される時、傘１０１を広げる力より少し強い弾性力を提供する。
【０１２９】
前記手元１０３にはスプリング１１１によって弾性支持される操作ボタン１１２と、スプリング１１１によって弾性支持され、操作ボタン１１２に一体に形成される押圧片１１２ｂによって押圧作動する補助ボタン１１９とを設置するが、操作ボタン１１２と補助ボタン１１９にはスプリング１１１の方にそれぞれ係止突起１１２ａ、１１９ａを形成し、操作ボタン１１２には係止突起１１２ａの反対側に昇降防止用突起１１２ｃを形成し、押圧片１１２ｂの上端には支持突起１１２ｄを形成する。
【０１３０】
前記係止突起１１２ａ、１１９ａの反対側に形成された昇降防止用突起１１２ｃは操作ボタン１１２を押圧した状態で後述する作動管１２６の下側出沒部１２７に形成した下側ストッパ孔１２７ｃと上側ストッパ孔１２７ｄに挿入するように設計し、押圧片１１２ｂに形成された支持突起１１２ｄは出沒部１２７の下側ストッパ孔１２７ｃには挿入されないで、出沒部１２７の上側ストッパ孔１２７ｄには挿入される部材である。
【０１３１】
操作ボタン１１２に形成されている係止突起１１２ａは上向きに傾斜された案内面１１２ａ′を形成して、補助ボタン１１９に形成された係止突起１１９ａは下向きに傾斜された案内面１１９ａ′を形成する。これら傾斜面１１２ａ′、１１９ａ′は後述する内管１０５の下側と作動管１２６下端の出沒部１２７に形成された作動孔１０５ｄ、１２７ｆに当接する時操作ボタン１１２と補助ボタン１１９が自然に後退することができる。
【０１３２】
前記内管１０５には上側係止孔１０５ｃを小さく形成し、その下側に作動孔１０５ｄを長く形成し、作動管１２６の下端に形成された出沒部１２７には内管１０５とは反対に上側に作動孔１２７ｆを長く形成し、その下側に係止孔１２７ｅを短く形成し、これら係止孔１０５ｃ、１２７ｅと作動孔１０５ｄ、１２７ｆは重ねられた状態で位置し、前記操作ボタン１１２と補助ボタン１１９に形成された係止突起１１２ａ、１１９ａがこれら係止孔１０５ｃ、１２７ｅと作動孔１０５ｄ、１２７ｆに選択的に結合される。
【０１３３】
また、前記出沒部１２７に形成された作動孔１２７ｆと係止孔１２７ｅの反対側の上側に操作ボタン１１２に形成された昇降防止用突起１１２ｃ及び支持突起１１２ｄが挿入されるストッパ孔１２７ｄを形成し、下側には操作ボタン１１２に形成された昇降防止用突起１１２ｃのみ挿入され、支持突起１１２ｄは挿入されることができないようにするストッパ孔１２７ｃを出沒部１２７の係止孔１２７ｅと作動孔１２７ｆに重なるように上側のストッパ孔１２７ｄより短く形成する。
【０１３４】
以上のように構成される本発明の第１１実施形態で構成される傘１０１を使用する場合には、図３６のように折られた状態で手元１０３に設置されている操作ボタン１１２を押圧する。
【０１３５】
前記のように、操作ボタン１１２を押圧すると、作動管１２６に形成された出沒部１２７の下側に形成されているストッパ孔１２７ｃに操作ボタン１１２に形成された昇降防止用突起１１２ｃが挿入される時、出沒部１２７の係止孔１２７ｅに挿入されている係止突起１１２ａが離脱されながら、コイルスプリング１１８が作動管１２６を下方へ押す。
【０１３６】
この時、操作ボタン１１２に形成されている支持突起１１２ｄは出沒部１２７の外面に接地された状態を保持していて、内管１０５の上側に形成された係止孔１０５ｃに挿入されて内管１０５を固定した状態に保持する補助ボタン１１９と接触されないで、操作ボタン１１２を押圧した状態を保持していれば傘１０１はこれ以上広がらない。
【０１３７】
即ち、操作ボタン１１２を押圧した状態の時は操作ボタン１１２に形成された昇降防止用突起１１２ｃが出沒部１２７の下端に形成されたストッパ孔１２７ｃの上端に係止された状態で作動管１２６の下降を制御するので、出沒部１２７に形成されている係止孔１２７ｅから離脱した係止突起１１２ａは出沒部１２７に形成されている作動孔１２７ｆの外側に位置される。
【０１３８】
前記のように、操作ボタン１１２をまず押した後押圧力を解除すると、スプリング１１１の弾性力によって操作ボタン１１２が後退しながら昇降防止用突起１１２ｃが出沒部１２７の下端に形成されたストッパ孔１２７ｃから抜けて、係止突起１１２ａが出沒部１２７に形成されている作動孔１２７ｆの内側に挿入され、圧縮状態であるコイルスプリング１１８が作動管１２６を完全に押して下降され、この時、受骨１０８ａが固定されている受骨固定部材１０６が作動管１２６にピン１１９で結合された状態に下方へ移動しながら傘１０１が広がる。
【０１３９】
傘１０１が広げられた状態である時、作動管１２６の出沒部１２７が下降された状態であるので、出沒部１２７の上端に形成されたストッパ孔１２７ｄ内に操作ボタン１１２の押圧片１１２ｂに形成された支持突起１１２ｄもストッパ孔１２７ｄに挿入可能な状態で位置される。
【０１４０】
前記のように、傘１０１を使用した後傘１０１を折り畳む時にも前記のように操作ボタン１１２を押せば良い。
【０１４１】
即ち、操作ボタン１１２を押圧すると、操作ボタン１１２に形成された昇降防止用突起１１２ｃが出沒部１２７の上側ストッパ孔１２７ｄに挿入され、押圧片１１２ｂに形成されている支持突起１１２ｄもともにストッパ孔１２７ｄに挿入されるが、この時、押圧片１１２ｂが補助ボタン１１９を押圧するので、内管１０５の係止孔１０５ｃに挿入されている係止突起１１９ａが離脱される。
【０１４２】
この時、出沒部１２７は上側に若干移動して操作ボタン１１２に形成された昇降防止用突起１１２ｃが出沒部１２７に形成されたストッパ孔１２７ｄの下端に係止されて停止し、操作ボタン１１２に形成された係止突起１１２ａは出沒部１２７の上側に形成されている作動孔１２７ｆの外側に位置し、補助ボタン１１９に形成された係止突起１１９ａは作動孔１２７ｆを通じて内管の作動孔１０５ｄの外側に位置するが、このような状態で操作ボタン１１２で押圧力を解除すると、操作ボタン１１２と補助ボタン１１９がスプリング１１１の張力によってともに復元されながら操作ボタン１１２に形成された係止突起１１２ａは出沒部１２７に形成された作動孔１２７ｆに挿入され、補助ボタン１１９に形成された係止突起１１９ａは出沒部に形成された作動孔１２７ｆを通じて内管１０５に形成された作動孔１０５ｄに挿入され、内管に一体に形成されるスプリング支持管１２４の段差１２４ａと、作動管１２６と出沒部１２７との境界に形成した段差１２７ａとの間に膨脹された状態で挟まれているコイルスプリング１１８と作動管１２６と内管１０５は一体になって、操作ボタン１１２と補助ボタン１１９に形成された係止突起１１２ａ、１１９ａに干渉されないで、傘布の張力と骨アセンブリー１０８の自重によって上昇して傘１０１が折り畳まれる。即ち、傘１を折り畳む場合、コイルスプリング１１８の作用は全然ない。
【０１４３】
前記のように、内管１０５が上昇するが傘１０１が完全に折り畳まれた状態ではないので、上述した状態で手元１０３の下端とほぼ近接している出沒部１２７を上側に押し上げて出沒部１２７に形成されている係止孔１２７ｅが操作ボタン１１２の係止突起１１２ａに係止されると、傘１０１が折り畳まれる。
【０１４４】
このような状態で、今後傘１０１を広げることができるように、親骨固定部材１０７の貫通孔１０７ｂを通じて外部に露出されている内管１０５の上端を手元１０３の方に押し入れてコイルスプリング１１８を圧縮する。
【０１４５】
この時、内管１０５に形成されている係止孔１０５ｃに補助ボタン１１９の係止突起１１９ａが挿入されて内管１０５を固定する。
【０１４６】
図３９は本発明の第１２実施形態で傘が広げられた状態を示す断面図を示し、図４０は本発明の第１２実施形態で傘が１／３乃至１／２程度折り畳まれたり広げられた状態を示す断面図で、図４１は本発明の第１２実施形態で傘が完全に折り畳まれた状態を示す断面図で、図４２は本発明の第１２実施形態で傘が完全に折り畳まれた状態でコイルスプリングを圧縮した状態を示す断面図を示す。
【０１４７】
本発明の第１２実施形態は前記第１１実施形態のように傘１０１を構成するにおいて、傘１０１を容易に広げるようにしたもので、前記受骨固定部材１０６と親骨固定部材１０７の間には補助コイルスプリング１１３を設置し、傘１０１を折り畳んだ状態で親骨固定部材１０７に一体に形成されたスプリングハウジング１１４にコイルスプリング１１３が内装されるように外管１０４の外側に位置するように設置した構成である。
【０１４８】
前記補助コイルスプリング１１３は内装されているコイルスプリング１１８の弾性力を補強して傘１０１をより容易に広げるうにする機能を有する。
【０１４９】
以上のように、本発明を第１２実施形態と同じく傘１０１を構成する場合、前記第１１実施形態のように傘１０１を広げる時コイルスプリング１１８とともに補助コイルスプリング１１３が膨脹されるので傘１０１を容易に広げる。
【０１５０】
図４３は本発明の第１３実施形態で傘が広げられた状態を示す断面図を示し、図４４は本発明の第１３実施形態で傘が折り畳まれた状態を示す断面図で、図４５は本発明の第１３実施形態で傘が完全に折り畳まれた状態でコイルスプリングと第２補助コイルスプリングを圧縮した状態を示す断面図を示す。
【０１５１】
本発明の第１３実施形態は前記第１１実施形態のように傘１０１を構成するにおいて、傘１０１をより容易に折り畳むようにしたもので、前記手元１０３の内側に下向きに開口されるように形成されている空間１０３ａの下部をカバー１２８で密閉し、この空間１０３ａにはカバー１２８と内管１０５の下端の支持管１０５ｂの間に位置するように第２補助コイルスプリング１２０を設置した構成である。
【０１５２】
前記第２補助コイルスプリング１２０は傘１０１を折り畳む時より效果的に折られるようにしたものである。
【０１５３】
即ち、第１１実施形態のように傘１０１を構成した状態で広げられた傘１０１を折り畳むために、操作ボタン１１２を押圧すると操作ボタン１１２に形成された昇降防止用突起１１２ｃが出沒部１２７の上側ストッパ孔１２７ｄに挿入され、押圧片１１２ｂに形成されている支持突起１１２ｄもともにストッパ孔１２７ｄに挿入されるが、この時、押圧片１１２ｂが補助ボタン１１９を押圧するので内管１０５の係止孔１０５ｃに挿入されている係止突起１１９ａが離脱される。
【０１５４】
この時、出沒部１２７は上側に若干移動して操作ボタン１１２に形成された昇降防止用突起１１２ｃが出沒部１２７に形成されたストッパ孔１２７ｄの下端に係止されて停止し、操作ボタン１１２に形成された係止突起１１２ａは出沒部１２７の上側に形成されている作動孔１２７ｆの外側に位置し、補助ボタン１１９に形成された係止突起１１９ａは出沒部１２７に形成された作動孔１２７ｆを通じて内管１０５に形成された作動孔１０５ｄの外側に位置する。
【０１５５】
前記のような状態で操作ボタン１１２で押圧力を解除すると、操作ボタン１１２と補助ボタン１１９がスプリング１１１の張力によってともに復元されながら操作ボタン１１２に形成された係止突起１１２ａは出沒部１２７に形成された作動孔１２７ｆに挿入され、補助ボタン１１９に形成された係止突起１１９ａは出沒部１２７に形成された作動孔１２７ｆを通じて内管１０５に形成された作動孔１０５ｄに挿入され、内管１０５に一体に形成されるスプリング支持管１２４の段差１２４ａと、作動管１２６と出沒部１２７との境界に形成した段差１２７ａとの間に膨脹された状態で挟まれているコイルスプリング１１８と作動管１２６と内管１０５は一体になって係止突起１１２ａ、１１９ａに干渉されないで傘布の張力と骨アセンブリー１０８の自重によって上昇してともに手元１０３に形成されたカバー１２８と内管１０５の下端の支持管１０５ｂの間に位置した第２補助コイルスプリング１２０が膨脹しながら傘を折り畳み、出沒部１２７の係止孔１２７ｅに操作ボタン１１２の係止突起１１２ａが係止されて傘１０１が折り畳まれたまま固定される。
【０１５６】
このような状態で、今後傘１０１を広げることができるように親骨固定部材１０７を通じて外部に露出されている内管１０５の上端を手元１０３の方に押し入れると、内管１０５と作動管１２６の間のコイルスプリング１１８と手元１０３に内装さて、内管１０５の下部支持管１０５ｂと手元に結合されたカバー１２８の間の第２補助コイルスプリング１２０が一緒に圧縮され、内管１０５の上端に形成されている係止孔１０５ｃに補助ボタン１１９の係止突起１１９ａが挿入されて内管１０５を固定する。
【０１５７】
このような構成は、傘１０１を容易に折り畳んだり広げることができる效果を提供する。
【０１５８】
図４６は本発明の第１４実施形態で傘が広げられた状態を示す断面図を示し、図４７は本発明の第１４実施形態で傘が折り畳まれた状態を示す断面図で、図４８は本発明の第１５実施形態で傘が完全に折り畳まれた状態でコイルスプリングと第２コイルスプリングを圧縮した状態を示す断面図を示す。
【０１５９】
本発明の第１４実施形態は前記第１１実施形態に第１２実施形態の補助コイルスプリング１１３と、第１３実施形態の第２補助コイルスプリング１２０を複合的に適用したもので、傘１０１を広げたり折り畳むことが容易である。
【０１６０】
本実施形態の構成は図示したように、第１１実施形態のように傘１０１を構成するにおいて、前記受骨固定部材１０６と親骨固定部材１０７の間には補助コイルスプリング１１３を設置し、傘１０１を折り畳んだ状態で親骨固定部材１０７に一体に形成されたスプリングハウジング１１４に補助コイルスプリング１１３が内装されるように構成し、前記手元１０３の内側に下向きに開口された空間１０３ａを形成してカバー１２８で密閉し、この空間１０３ａには内管１０５の下端に形成した支持管１０５ｂとカバー１２８の間に位置するように第２補助コイルスプリング１２０を設置した構成である。
【０１６１】
第１４実施形態のように傘１０１を構成する場合、傘１０１を広げる時は迅速に広げ、傘１０１を折り畳む時は第２補助コイルスプリング１２０によって急激に折られないように、補助コイルスプリング１１３が緩衝作用をして漸次に折り畳むようになることによって使用便利性を提供する。
【０１６２】
図４９は本発明の第１５実施形態で傘が広げられた状態を示す断面図を示し、図５０は本発明の第１５実施形態で傘が折り畳まれた状態を示す断面図で、図５１は本発明の第１５実施形態で傘が完全に折り畳まれた状態でコイルスプリングと第２コイルスプリングを圧縮した状態を示す断面図、図５２は本発明の第１５実施形態の主要部抜粋拡大断面図を示す。
【０１６３】
本発明の第１５実施形態は前記第１３実施形態のように傘１０１を構成するにおいて、特に傘１０１が自動に折り畳まれることができるようにした。
【０１６４】
即ち、本発明実施形態は図面によれば、手元１０３の内側に空間１０３ａを形成し、第２補助コイルスプリング１２０を結合して、内管１０５によって押圧されるようにした第２補助コイルスプリング１２０の押圧を效果的に行うことができるように構成した。
【０１６５】
これを具現するための手段として、前記第２補助コイルスプリング１２０が結合される手元１０３内部の空間１０３ａの上側に設置孔１０３ｂを形成し、設置孔１０３ｂにはスプリング支持具１２１が外管１０４の外部に嵌められた状態に配置され、スプリング支持具１２１には側面が開口された挿入孔１２１ａを形成し、挿入孔１２１ａには対向して突起１２２ａ、１２２ｂが形成されるストッパ１２２を外管１０４の外部に嵌められた状態になるように結合してスプリング支持具１２１の離脱を防止することができる。
【０１６６】
前記ストッパ１２２に形成された突起１２２ａ、１２２ｂの中の一方は上下側に傾斜面１２２ａ′を有する三角形であり、他方は上向きに傾斜された傾斜面１２２ｂ′を有する構成である。
【０１６７】
また、前記挿入孔１２１ａの下側には手元１０３の内部の設置孔１０３ｂの一側下端に形成された傾斜案内面１０３ｃが挿入される孔１２１ｂを形成して内管１０５の下端の支持管１０５ｂが下降してスプリング支持具１２１が下降する時、傾斜案内面１０３ｃが前記孔１２１ｂを通過してストッパ１２２を押して動かしてストッパ１２２に形成された突起１２２ａを外管４に形成された係止孔１０４ｄを通過して内管１０５の下端の支持管１０５ｂに形成された作動孔１０５ｅに挿入され、前記突起１２２ｂを内管１０５の下端の支持管１０５ｂに形成された第２係止孔１０５ｆから離脱させて外管１０４に形成された作動孔１０４ｃの外側に位置させる。
【０１６８】
また、前記支持管１０５ｂが上昇する時、前記支持管１０５ｂに形成された第２作動孔１０５ｅの下端が突起１２２ａの傾斜面１２２ａ′の下側を押してストッパ１２２を押して動いて前記突起１２２ａを外管の係止孔１０４ｄから離脱させ、前記突起１２２ｂを外管の作動孔１０４ｃを通って内管の支持管１０５ｂの第２係止孔１０５ｆに挿入されるようにする。
【０１６９】
第１５実施形態で提供する傘１０１を。図５１のように折り畳んだ状態で傘１０１を広げる時には、手元１０３に設置されている操作ボタン１１２を押圧して前記第１１実施例で説明したような方法で傘１０１を広げる。これに対する具体的な説明は第１１実施形態を参照すれば良い。
【０１７０】
上記のように傘を使用した後傘１０１を折り畳む時にも、前記のように、操作ボタン１１２を押せば良い。即ち、操作ボタン１１２を押圧すれば操作ボタン１１２に形成された昇降防止用突起１１２ｃと押圧片１１２ｂに形成されている支持突起１１２ｄもともに出沒部１２７の上側ストッパ孔１２７ｄに挿入され、この時、押圧片１１２ｂが補助ボタン１１９を押圧するので、内管に形成された係止孔１０５ｃに挿入されている補助ボタン１１９に形成された係止突起１１９ａが離脱される。
【０１７１】
この時、出沒部１２７は上側に若干移動して、操作ボタン１１２に形成された昇降防止用突起１１２ｃが出沒部１２７に形成されたストッパ孔１２７ｄの下端に係止されて停止し、操作ボタン１１２に形成された係止突起１１２ａは出沒部１２７の上側に形成された作動孔１２７ｆの外側に位置することになり、このような状態で、操作ボタン１１２の押圧力を解除すれば、操作ボタン１１２と補助ボタン１１９がスプリング１１１の張力によってともに復元されながら前記係止突起１１２ａ、１１９ａが出沒部１２７に形成された作動孔１２７ｆを通じて内管１０５に形成された作動孔１０５ｄに挿入され、内管に一体に形成されたスプリング支持管１２４の段差１２４ａと作動管１２６と出沒部１２７の境界に形成された段差１２７ａとの間に拡張された状態で嵌められるコイルスプリング１１８と作動管１２６と内管１０５は一体になって、前記係止突起１１２ａ、１１９ａの干渉を受けないで傘布の弾性と骨アセンブリー１０８の自重によって上昇して傘が折り畳まれる。
【０１７２】
この時、内管１０５の下端の支持管１０５ｂが上昇しながら外管１０４に形成された係止孔１０４ｄに係止されて、内管１０５に形成された第２作動孔１０５ｅに挿入されているストッパ１２２に形成された突起１２２ａの傾斜面１２２ａ′を前記支持管１０５ｂの第２作動孔１０５ｅの下端が押して移動させて、前記突起１２２ａを前記係止孔１０４ｄから離脱し、同時に、ストッパ１２２に形成された突起１２２ｂは外管の作動孔１０４ｃを通じて内管の第２係止孔１０５ｆに挿入されると、第２コイルスプリング１２０の弾性によって内管の支持管１０５ｂとともにスプリング押圧管１２１が上昇しながら内管１０５を上昇させて、ほぼ折り畳まれている傘を完全に折り畳む。この時、作動管１２７の係止孔１２７ｅに係止突起１１２ａが挿入されて固定される。
【０１７３】
このような状態で、前記のように、傘１０１を広げたり折り畳むためには、前記コイルスプリング１１８と第２補助コイルスプリング１２０を一緒に圧縮して置くべきであり、これらの圧縮は親骨固定部材１０７の貫通孔１０７ｂを通じて外部に露出されている内管１０５の上端を手元１０３の方へ押し入れなければならないが、第１３実施形態の場合は、第２補助コイルスプリング１２０はコイルスプリング１１８と同じストローク距離に同時に圧縮するので、圧縮に力がたくさん必要となるなどの問題がある。
【０１７４】
しかし、本発明の第１５実施形態によれば、図５０で親骨固定部材１０７の貫通孔１０７ｂを通じて外部に露出されている内管１０５の上端を圧縮すると、前記ストッパ突起１２２ｂが外管の作動孔１０４ｃを通じて内管の支持管１０５ｂの第２係止孔１０５ｆに挿入されているので、内管１０５とともにスプリング支持具１２１が下降してコイルスプリング１１８と第２補助コイルスプリング１２０がともに圧縮される。
【０１７５】
この時スプリング支持具１２１に形成された挿入孔１２１ａの下側に形成されている孔１２１ｂを通じて手元１０３内の設置孔１０３ｂに形成されている傾斜案内面１０３ｃが挿入されながら、ストッパ１２２は突起１２２ｂ方へ押圧されて移動して、ストッパ１２２に形成された突起１２２ａを外管の係止孔１０４ｄを通じて前記支持管１０５の第２作動孔１０５ｅに挿入され、前記突起１２２ｂは支持管１０５に形成された第２係止孔１０５ｆから離脱して外管の作動孔１０４ｃの外側に位置することになって前記内管１０５の支持管１０５ｂとストッパ１２２が接触されることがなくて、内管１０５はコイルスプリング１１８のみ圧縮する。
【０１７６】
この時、圧縮された第２補助コイルスプリング１２０は圧縮された状態で前記突起１２２ａによって外管１０４に形成された係止孔１０４ｄの上部に固定される。このような状態で、内管１０５はコイルスプリング１１８のみ圧縮しながら下降して、内管１０５に形成された係止孔１０５ｃに補助ボタン１１９に形成された係止突起１１９ａが挿入されながら内管１０５は固定されてコイルスプリングの圧縮は終了する。
【０１７７】
前記のように、内管１０５を初期に設置孔１０３ｂに形成された傾斜案内面１０３ｃまで短い距離に押圧して第２補助コイルスプリング１２０を圧縮して外管１０４に形成された係止孔１０４ｄに固定した、その後、コイルスプリング１１８を圧縮するので、内管１０５を圧縮するのに第１３実施形態に比べてかかる力が少ない。
【０１７８】
図５３は本発明の第１６実施形態で傘が広げられた状態を示す断面図を示し、図５４は本発明の第１６実施形態で傘が折り畳まれた状態を示す断面図で、図５５は本発明の第１６実施形態で傘が完全に折り畳まれた状態でコイルスプリングと第２補助コイルスプリングを圧縮した状態を示す断面図を示す。
【０１７９】
本発明の第１６実施形態は前記第１５実施形態のように傘１０１を構成するにおいて、傘１０１を容易に広げるようにしたもので、前記受骨固定部材１０６と親骨固定部材１０７の間には補助コイルスプリング１１３を設置し、傘１０１を折り畳んだ状態で親骨固定部材１０７に一体に形成されたスプリングハウジング１１４に補助コイルスプリング１１３が内装されるようにした構成である。
【０１８０】
第１６実施形態のように構成した場合、傘１０１を広げる時は迅速に広げ、第２補助コイルスプリング１２０によって傘１０１が折り畳まれる時補助コイルスプリング１１３が緩衝する役割を果たして傘１０１が急激に折り畳まれないで漸次に折り畳まれる。
【０１８１】
上述したように、具体的な実施形態を基準に本発明の技術思想を説明したが、本発明の保護範囲が必ずこのような実施形態に限定されるのではなく、本発明の技術要旨を変更しない範囲内で単純な設計変更や慣用手段の置換などの場合にも本発明の保護範囲に属することは明確である。
（産業上の利用の可能性）
【０１８２】
本発明で提供する傘は構成が簡単で且つ廉価で製作することができ、傘を広げたり折り畳むことが便利な效果を有し、耐久性が優れて故障の虞を解決することができる。
【０１８３】
また、本発明で提供する傘は、親骨が結合される結合部の直径が受骨が結合される結合部の直径より大きい寸法に構成されていて、小さな力でも傘を容易に広げたり折り畳むことができるので産業上利用が可能である。
【図１】
0005507560.tif 000002
【図２】
0005507560.tif 000003
【図３】
0005507560.tif 000004
【図４】
0005507560.tif 000005
【図５】
0005507560.tif 000006
【図６】
0005507560.tif 000007
【図７】
0005507560.tif 000008
【図８】
0005507560.tif 000009
【図９】
0005507560.tif 000010
【図１０】
0005507560.tif 000011
【図１１】
0005507560.tif 000012
【図１２】
0005507560.tif 000013
【図１３】
0005507560.tif 000014
【図１４】
0005507560.tif 000015
【図１５】
0005507560.tif 000016
【図１６】
0005507560.tif 000017
【図１７】
0005507560.tif 000018
【図１８】
0005507560.tif 000019
【図１９】
0005507560.tif 000020
【図２０】
0005507560.tif 000021
【図２１】
0005507560.tif 000022
【図２２】
0005507560.tif 000023
【図２３】
0005507560.tif 000024
【図２４】
0005507560.tif 000025
【図２５】
0005507560.tif 000026
【図２６】
0005507560.tif 000027
【図２７】
0005507560.tif 000028
【図２８】
0005507560.tif 000029
【図２９】
0005507560.tif 000030
【図３０】
0005507560.tif 000031
【図３１】
0005507560.tif 000032
【図３２】
0005507560.tif 000033
【図３３】
0005507560.tif 000034
【図３４】
0005507560.tif 000035
【図３５】
0005507560.tif 000036
【図３６】
0005507560.tif 000037
【図３７】
0005507560.tif 000038
【図３８】
0005507560.tif 000039
【図３９】
0005507560.tif 000040
【図４０】
0005507560.tif 000041
【図４１】
0005507560.tif 000042
【図４２】
0005507560.tif 000043
【図４３】
0005507560.tif 000044
【図４４】
0005507560.tif 000045
【図４５】
0005507560.tif 000046
【図４６】
0005507560.tif 000047
【図４７】
0005507560.tif 000048
【図４８】
0005507560.tif 000049
【図４９】
0005507560.tif 000050
【図５０】
0005507560.tif 000051
【図５１】
0005507560.tif 000052
【図５２】
0005507560.tif 000053
【図５３】
0005507560.tif 000054
【図５４】
0005507560.tif 000055
【図５５】
0005507560.tif 000056